(57)【要約】      （修正有）【課題】効率的に通信を行う端末装置、基地局装置及び通信方法を提供する。【解決手段】基地局装置と通信を行う端末装置に用いられる通信方法であって、ＰＤＣＣＨのための第１の監視機会及び第２の監視機会が設定され、少なくとも第２の監視機会においてＰＤＣＣＨを受信し、ＰＤＣＣＨが第１の監視機会において検出されたと想定してＰＤＣＣＨに含まれるＤＡＩフィールドの値に基づきＨＡＲＱ−ＡＣＫコードブックを生成し、ＨＡＲＱ−ＡＣＫコードブックをＰＵＣＣＨまたはＰＵＳＣＨで送信する。【選択図】図１４
2020072330.tif 000002
【特許請求の範囲】
【請求項１】
ＰＤＣＣＨのための第１の監視機会、および、第２の監視機会が設定され、少なくとも第２の監視機会においてＰＤＣＣＨを受信する受信部と、
前記ＰＤＣＣＨが前記第１の監視機会において検出されたと想定して前記ＰＤＣＣＨに含まれるＤＡＩフィールドの値に基づきＨＡＲＱ−ＡＣＫコードブックを生成し、前記ＨＡＲＱ−ＡＣＫコードブックをＰＵＣＣＨまたはＰＵＳＣＨで送信する送信部と、を備える
端末装置。
【請求項２】
前記ＰＵＣＣＨに対応する監視機会のセット（アソシエーションセット）は、Ｋ０およびＫ１に少なくとも基づき与えられ、
前記Ｋ０は、前記ＰＤＣＣＨに基づきスケジューリングされるＰＤＳＣＨが送信されるスロットのインデックスを示すために用いられ、
前記Ｋ１は、前記ＰＵＣＣＨが送信されるスロットのインデックスを示すために用いられ、
前記第１の監視機会、および、前記第２の監視機会は前記監視機会のセットに含まれる
請求項１に記載の端末装置。
【請求項３】
前記第１の監視機会は、前記第２の監視機会より前に設定され、
前記第２の監視機会は、条件（１）から条件（３）のいずれかを少なくとも満たし、
条件（１）は、前記第２の監視機会に対応するＯＦＤＭシンボルにおいて初期信号が検出されることであり、
条件（２）は、前記第２の監視機会において、所定のＤＣＩフォーマットを受信することであり、
条件（３）は、前記第２の監視機会は、前記監視機会のセット（アソシエーションセット）のうち、チャネル専有時間（COT: Channel Occupancy Time）の先頭より後の最初の
監視機会である
請求項１に記載の端末装置。
【請求項４】
前記第１の監視機会は、第１の探索領域セットによって設定され、
前記第２の監視機会は、第２の探索領域セットによって設定される
請求項１に記載の端末装置。
【請求項５】
前記第１の監視機会は、探索領域セットに設定される第１のパラメータに少なくとも基づき設定され、
前記第２の監視機会は、前記探索領域セットに設定される第２のパラメータに少なくとも基づき設定される
請求項１に記載の端末装置。
【請求項６】
前記第１の監視機会は、探索領域セットにより設定される監視機会のうち、スロットの先頭に設定される監視機会であり、
前記第２の監視機会は、前記探索領域セットに設定される監視機会の内、前記第１の監視機会以外の監視機会を含む
請求項１に記載の端末装置。
【請求項７】
第１の監視機会において第１のＰＤＣＣＨを受信し、第２の監視機会において第２のＰＤＣＣＨを受信する受信部と、
前記第１のＰＤＣＣＨおよび前記第２のＰＤＣＣＨのそれぞれに対するＨＡＲＱ−ＡＣＫ情報を含むＨＡＲＱ−ＡＣＫコードブックをＰＵＣＣＨで送信する送信部と、を備え、
前記ＨＡＲＱ−ＡＣＫコードブックは、前記第１のＰＤＣＣＨに含まれるＤＡＩの値に少なくとも基づき与えられ、
前記ＨＡＲＱ−ＡＣＫコードブックは、前記第２のＰＤＣＣＨに含まれるＤＡＩの値に関わらず与えられる
端末装置。
【請求項８】
前記ＨＡＲＱ−ＡＣＫコードブックは、前記第２のＰＤＣＣＨにおいてＤＡＩの値が示されないと想定して与えられる
請求項７に記載の端末装置。
【請求項９】
前記第２のＰＤＣＣＨに対するＨＡＲＱ−ＡＣＫ情報は、前記ＨＡＲＱ−ＡＣＫコードブックの末尾に結合される
請求項７に記載の端末装置。
【請求項１０】
ＰＤＣＣＨのための第１の監視機会、および、第２の監視機会を設定する情報を送信し、少なくとも第２の監視機会においてＰＤＣＣＨを送信する送信部と、
前記ＰＤＣＣＨが前記第１の監視機会において検出されたと想定して前記ＰＤＣＣＨに含まれるＤＡＩフィールドの値に基づき生成されたＨＡＲＱ−ＡＣＫコードブックを含むＰＵＣＣＨまたはＰＵＳＣＨを受信する受信部と、を備える
基地局装置。
【請求項１１】
前記ＰＵＣＣＨに対応する監視機会のセット（アソシエーションセット）は、Ｋ０およびＫ１に少なくとも基づき与えられ、
前記Ｋ０は、前記ＰＤＣＣＨに基づきスケジューリングされるＰＤＳＣＨが送信されるスロットのインデックスを示すために用いられ、
前記Ｋ１は、前記ＰＵＣＣＨが送信されるスロットのインデックスを示すために用いられ、
前記第１の監視機会、および、前記第２の監視機会は前記監視機会のセットに含まれる
請求項１０に記載の基地局装置。
【請求項１２】
前記第１の監視機会は、前記第２の監視機会より前に設定され、
前記第２の監視機会は、条件（１）から条件（３）のいずれかを少なくとも満たし、
条件（１）は、前記第２の監視機会に対応するＯＦＤＭシンボルにおいて初期信号が検出されることであり、
条件（２）は、前記第２の監視機会において、所定のＤＣＩフォーマットを受信することであり、
条件（３）は、前記第２の監視機会は、前記監視機会のセット（アソシエーションセット）のうち、チャネル専有時間（COT: Channel Occupancy Time）の先頭より後の最初の
監視機会である
請求項１０に記載の基地局装置。
【請求項１３】
前記第１の監視機会は、第１の探索領域セットによって設定され、
前記第２の監視機会は、第２の探索領域セットによって設定される
請求項１０に記載の基地局装置。
【請求項１４】
前記第１の監視機会は、探索領域セットに設定される第１のパラメータに少なくとも基づき設定され、
前記第２の監視機会は、前記探索領域セットに設定される第２のパラメータに少なくとも基づき設定される
請求項１０に記載の基地局装置。
【請求項１５】
前記第１の監視機会は、探索領域セットにより設定される監視機会のうち、スロットの先頭に設定される監視機会であり、
前記第２の監視機会は、前記探索領域セットに設定される監視機会の内、前記第１の監視機会以外の監視機会を含む
請求項１０に記載の基地局装置。
【請求項１６】
第１の監視機会において第１のＰＤＣＣＨを送信し、第２の監視機会において第２のＰＤＣＣＨを送信する送信部と、
前記第１のＰＤＣＣＨおよび前記第２のＰＤＣＣＨのそれぞれに対するＨＡＲＱ−ＡＣＫ情報を含むＨＡＲＱ−ＡＣＫコードブックを含むＰＵＣＣＨを受信する受信部と、を備え、
前記ＨＡＲＱ−ＡＣＫコードブックは、前記第１のＰＤＣＣＨに含まれるＤＡＩの値に少なくとも基づき与えられ、
前記ＨＡＲＱ−ＡＣＫコードブックは、前記第２のＰＤＣＣＨに含まれるＤＡＩの値に関わらず与えられる
基地局装置。
【請求項１７】
前記ＨＡＲＱ−ＡＣＫコードブックは、前記第２のＰＤＣＣＨにおいてＤＡＩの値が示されないと想定して与えられる
請求項１６に記載の基地局装置。
【請求項１８】
前記第２のＰＤＣＣＨに対するＨＡＲＱ−ＡＣＫ情報は、前記ＨＡＲＱ−ＡＣＫコードブックの末尾に結合される
請求項１６に記載の基地局装置。
【請求項１９】
端末装置に用いられる通信方法であって、
ＰＤＣＣＨのための第１の監視機会、および、第２の監視機会が設定され、少なくとも第２の監視機会においてＰＤＣＣＨを受信するステップと、
前記ＰＤＣＣＨが前記第１の監視機会において検出されたと想定して前記ＰＤＣＣＨに含まれるＤＡＩフィールドの値に基づきＨＡＲＱ−ＡＣＫコードブックを生成し、前記ＨＡＲＱ−ＡＣＫコードブックをＰＵＣＣＨまたはＰＵＳＣＨで送信するステップを備える
通信方法。
【請求項２０】
端末装置に用いられる通信方法であって、
第１の監視機会において第１のＰＤＣＣＨを受信し、第２の監視機会において第２のＰＤＣＣＨを受信するステップと、
前記第１のＰＤＣＣＨおよび前記第２のＰＤＣＣＨのそれぞれに対するＨＡＲＱ−ＡＣＫ情報を含むＨＡＲＱ−ＡＣＫコードブックをＰＵＣＣＨで送信するステップと、を備え、
前記ＨＡＲＱ−ＡＣＫコードブックは、前記第１のＰＤＣＣＨに含まれるＤＡＩの値に少なくとも基づき与えられ、
前記ＨＡＲＱ−ＡＣＫコードブックは、前記第２のＰＤＣＣＨに含まれるＤＡＩの値に関わらず与えられる
通信方法。
【請求項２１】
基地局装置に用いられる通信方法であって、
ＰＤＣＣＨのための第１の監視機会、および、第２の監視機会を設定する情報を送信し、少なくとも第２の監視機会においてＰＤＣＣＨを送信するステップと、
前記ＰＤＣＣＨが前記第１の監視機会において検出されたと想定して前記ＰＤＣＣＨに
含まれるＤＡＩフィールドの値に基づき生成されたＨＡＲＱ−ＡＣＫコードブックを含むＰＵＣＣＨまたはＰＵＳＣＨを受信するステップと、を備える
通信方法。
【請求項２２】
基地局装置に用いられる通信方法であって、
第１の監視機会において第１のＰＤＣＣＨを送信し、第２の監視機会において第２のＰＤＣＣＨを送信するステップと、
前記第１のＰＤＣＣＨおよび前記第２のＰＤＣＣＨのそれぞれに対するＨＡＲＱ−ＡＣＫ情報を含むＨＡＲＱ−ＡＣＫコードブックを含むＰＵＣＣＨを受信するステップと、を備え、
前記ＨＡＲＱ−ＡＣＫコードブックは、前記第１のＰＤＣＣＨに含まれるＤＡＩの値に少なくとも基づき与えられ、
前記ＨＡＲＱ−ＡＣＫコードブックは、前記第２のＰＤＣＣＨに含まれるＤＡＩの値に関わらず与えられる
通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE）」、または、「ＥＵＴＲＡ：Ｅｖｏｌｖｅｄ  Ｕｎｉｖｅｒｓａｌ  Ｔ
ｅｒｒｅｓｔｒｉａｌ  Ｒａｄｉｏ  Ａｃｃｅｓｓ」と称する。）が、第三世代パートナーシッププロジェクト（3GPP:3rd Generation Partnership Project）において検討され
ている。ＬＴＥにおいて、基地局装置はｅＮｏｄｅＢ（evolved NodeB）、端末装置はＵ
Ｅ（User Equipment）とも呼称される。ＬＴＥは、基地局装置がカバーするエリアをセル状に複数配置するセルラー通信システムである。単一の基地局装置は複数のサービングセルを管理してもよい。
【０００３】
３ＧＰＰでは、国際電気通信連合（ITU:International Telecommunication Union）が
策定する次世代移動通信システムの規格であるＩＭＴ（International Mobile Telecommunication）―２０２０に提案するため、次世代規格（NR: New Radio）の検討が行われて
いる（非特許文献１）。ＮＲは、単一の技術の枠組みにおいて、ｅＭＢＢ（enhanced Mobile BroadBand）、ｍＭＴＣ（massive Machine Type Communication）、ＵＲＬＬＣ（Ultra Reliable and Low Latency Communication）の３つのシナリオを想定した要求を満た
すことが求められている。
【先行技術文献】
【非特許文献】
【０００４】
【非特許文献１】"New SID proposal: Study on New Radio Access Technology"， RP-160671， NTT docomo， 3GPP TSG RAN Meeting #71，Goteborg， Sweden， 7th ― 10th March， 2016．
【発明の概要】
【発明が解決しようとする課題】
【０００５】
本発明は、効率的に通信を行う端末装置、該端末装置に用いられる通信方法、効率的に通信を行う基地局装置、該基地局装置に用いられる通信方法を提供する。
【課題を解決するための手段】
【０００６】
（１）本発明の第１の態様は、端末装置であって、ＰＤＣＣＨのための第１の監視機会、および、第２の監視機会が設定され、少なくとも第２の監視機会においてＰＤＣＣＨを受信する受信部と、前記ＰＤＣＣＨが前記第１の監視機会において検出されたと想定して前記ＰＤＣＣＨに含まれるＤＡＩフィールドの値に基づきＨＡＲＱ−ＡＣＫコードブックを生成し、前記ＨＡＲＱ−ＡＣＫコードブックをＰＵＣＣＨまたはＰＵＳＣＨで送信する送信部と、を備える。
【０００７】
（２）本発明の第２の態様は、端末装置であって、第１の監視機会において第１のＰＤＣＣＨを受信し、第２の監視機会において第２のＰＤＣＣＨを受信する受信部と、前記第１のＰＤＣＣＨおよび前記第２のＰＤＣＣＨのそれぞれに対するＨＡＲＱ−ＡＣＫ情報を含むＨＡＲＱ−ＡＣＫコードブックをＰＵＣＣＨで送信する送信部と、を備え、前記ＨＡＲＱ−ＡＣＫコードブックは、前記第１のＰＤＣＣＨに含まれるＤＡＩの値に少なくとも基づき与えられ、前記ＨＡＲＱ−ＡＣＫコードブックは、前記第２のＰＤＣＣＨに含まれるＤＡＩの値に関わらず与えられる。
【０００８】
（３）本発明の第３の態様は、基地局装置であって、ＰＤＣＣＨのための第１の監視機会、および、第２の監視機会を設定する情報を送信し、少なくとも第２の監視機会においてＰＤＣＣＨを送信する送信部と、前記ＰＤＣＣＨが前記第１の監視機会において検出されたと想定して前記ＰＤＣＣＨに含まれるＤＡＩフィールドの値に基づき生成されたＨＡＲＱ−ＡＣＫコードブックを含むＰＵＣＣＨまたはＰＵＳＣＨを受信する受信部と、を備える。
【０００９】
（４）本発明の第４の態様は、基地局装置であって、第１の監視機会において第１のＰＤＣＣＨを送信し、第２の監視機会において第２のＰＤＣＣＨを送信する送信部と、前記第１のＰＤＣＣＨおよび前記第２のＰＤＣＣＨのそれぞれに対するＨＡＲＱ−ＡＣＫ情報を含むＨＡＲＱ−ＡＣＫコードブックを含むＰＵＣＣＨを受信する受信部と、を備え、前記ＨＡＲＱ−ＡＣＫコードブックは、前記第１のＰＤＣＣＨに含まれるＤＡＩの値に少なくとも基づき与えられ、前記ＨＡＲＱ−ＡＣＫコードブックは、前記第２のＰＤＣＣＨに含まれるＤＡＩの値に関わらず与えられる。
【００１０】
（５）本発明の第５の態様は、端末装置に用いられる通信方法であって、ＰＤＣＣＨのための第１の監視機会、および、第２の監視機会が設定され、少なくとも第２の監視機会においてＰＤＣＣＨを受信するステップと、前記ＰＤＣＣＨが前記第１の監視機会において検出されたと想定して前記ＰＤＣＣＨに含まれるＤＡＩフィールドの値に基づきＨＡＲＱ−ＡＣＫコードブックを生成し、前記ＨＡＲＱ−ＡＣＫコードブックをＰＵＣＣＨまたはＰＵＳＣＨで送信するステップを備える。
【００１１】
（６）本発明の第６の態様は、端末装置に用いられる通信方法であって、第１の監視機会において第１のＰＤＣＣＨを受信し、第２の監視機会において第２のＰＤＣＣＨを受信するステップと、前記第１のＰＤＣＣＨおよび前記第２のＰＤＣＣＨのそれぞれに対するＨＡＲＱ−ＡＣＫ情報を含むＨＡＲＱ−ＡＣＫコードブックをＰＵＣＣＨで送信するステップと、を備え、前記ＨＡＲＱ−ＡＣＫコードブックは、前記第１のＰＤＣＣＨに含まれるＤＡＩの値に少なくとも基づき与えられ、前記ＨＡＲＱ−ＡＣＫコードブックは、前記第２のＰＤＣＣＨに含まれるＤＡＩの値に関わらず与えられる。
【００１２】
（７）本発明の第７の態様は、基地局装置に用いられる通信方法であって、ＰＤＣＣＨのための第１の監視機会、および、第２の監視機会を設定する情報を送信し、少なくとも第２の監視機会においてＰＤＣＣＨを送信するステップと、前記ＰＤＣＣＨが前記第１の監視機会において検出されたと想定して前記ＰＤＣＣＨに含まれるＤＡＩフィールドの値に基づき生成されたＨＡＲＱ−ＡＣＫコードブックを含むＰＵＣＣＨまたはＰＵＳＣＨを受信するステップと、を備える。
【００１３】
（８）本発明の第８の態様は、基地局装置に用いられる通信方法であって、第１の監視機会において第１のＰＤＣＣＨを送信し、第２の監視機会において第２のＰＤＣＣＨを送信するステップと、前記第１のＰＤＣＣＨおよび前記第２のＰＤＣＣＨのそれぞれに対するＨＡＲＱ−ＡＣＫ情報を含むＨＡＲＱ−ＡＣＫコードブックを含むＰＵＣＣＨを受信するステップと、を備え、前記ＨＡＲＱ−ＡＣＫコードブックは、前記第１のＰＤＣＣＨに含まれるＤＡＩの値に少なくとも基づき与えられ、前記ＨＡＲＱ−ＡＣＫコードブックは、前記第２のＰＤＣＣＨに含まれるＤＡＩの値に関わらず与えられる。
【発明の効果】
【００１４】
この発明によれば、端末装置は効率的に通信を行うことができる。また、基地局装置は効率的に通信を行うことができる。
【図面の簡単な説明】
【００１５】
【図１】本実施形態の一態様に係る無線通信システムの概念図である。
【図２】本実施形態の一態様に係るＮｓｌｏｔｓｙｍｂ、サブキャリア間隔の設定μ、および、ＣＰ設定の関係を示す一例である。
【図３】本実施形態の一態様に係るサブフレームにおけるリソースグリッドの一例を示す概略図である。
【図４】本実施形態の一態様に係るＰＵＣＣＨフォーマットとＰＵＣＣＨフォーマットの長さＮＰＵＣＣＨｓｙｍｂの関係の一例を示す図である。
【図５】本実施形態の一態様に係る探索領域セットの監視機会の一例を示す図である。
【図６】本実施形態の一態様に係る探索領域セットの監視機会（Monitoring occasion for search space set）と、ＰＤＣＣＨの監視機会（Monitoring occasion for PDCCH）の対応例を示す図である。
【図７】本実施形態の一態様に係るＨＡＲＱ−ＡＣＫ情報のコードブック（ＨＡＲＱ−ＡＣＫコードブック）の構成の手順の一例を示す図である。
【図８】本実施形態の一態様に係るＨＡＲＱ−ＡＣＫ情報のコードブック（ＨＡＲＱ−ＡＣＫコードブック）の構成の手順の一例を示す図である。
【図９】本実施形態の一態様に係るＨＡＲＱ−ＡＣＫ情報のコードブック（ＨＡＲＱ−ＡＣＫコードブック）の構成の手順の一例を示す図である。
【図１０】本実施形態の一態様に係る端末装置１の構成を示す概略ブロック図である。
【図１１】本実施形態の一態様に係る基地局装置３の構成を示す概略ブロック図である。
【図１２】本実施形態の一態様に係る物理信号の送信の一例を示す図である。
【図１３】本実施形態の一態様に係る物理信号の送信の一例を示す図である。
【図１４】本実施形態の一態様に係る下りリンク通信の一例を示す図である。
【発明を実施するための形態】
【００１６】
以下、本発明の実施形態について説明する。
【００１７】
“Ａ、および／または、Ｂ”は、“Ａ”、“Ｂ”、または“ＡおよびＢ”を含む用語であってもよい。
【００１８】
図１は、本実施形態の一態様に係る無線通信システムの概念図である。図１において、無線通信システムは、端末装置１Ａ〜１Ｃ、および基地局装置３（BS#3: Base station#3）を具備する。以下、端末装置１Ａ〜１Ｃを端末装置１とも呼称する。
【００１９】
基地局装置３は、ＭＣＧ（Master Cell Group）、および、ＳＣＧ（Secondary Cell Group）の一方または両方を含んで構成されてもよい。ＭＣＧは、少なくともＰＣｅｌｌ（Primary Cell）を含んで構成されるサービングセルのグループである。ＳＣＧは、少なく
ともＰＳＣｅｌｌ（Primary Secondary Cell）を含んで構成されるサービングセルのグループである。ＰＣｅｌｌは、初期接続に基づき与えられるサービングセルであってもよい。ＭＣＧは、１または複数のＳＣｅｌｌ（Secondary Cell）を含んで構成されてもよい。ＳＣＧは、１または複数のＳＣｅｌｌを含んで構成されてもよい。ＰＣｅｌｌは、プライマリセルとも呼称される。ＰＳＣｅｌｌは、プライマリセカンダリセルとも呼称される。ＳＣｅｌｌは、セカンダリセルとも呼称される。
【００２０】
ＭＣＧは、ＥＵＴＲＡ上のサービングセルで構成されてもよい。ＳＣＧは、次世代規格（NR: New Radio）上のサービングセルで構成されてもよい。
【００２１】
以下、フレーム構成について説明する。
【００２２】
本実施形態の一態様に係る無線通信システムにおいて、ＯＦＤＭ（Orthogonal Frequency Division Multiplex）が少なくとも用いられる。ＯＦＤＭシンボルは、ＯＦＤＭの時
間領域の単位である。ＯＦＤＭシンボルは、少なくとも１または複数のサブキャリア（subcarrier）を含む。ＯＦＤＭシンボルは、ベースバンド信号生成において時間連続信号（time―continuous signal）に変換される。下りリンクにおいて、ＣＰ−ＯＦＤＭ（Cyclic Prefix ― Orthogonal Frequency Division Multiplex）が少なくとも用いられる。上
りリンクにおいて、ＣＰ−ＯＦＤＭ、または、ＤＦＴ−ｓ−ＯＦＤＭ（Discrete Fourier
Transform ― spread ― Orthogonal Frequency Division Multiplex）のいずれかが用
いられる。ＤＦＴ−ｓ−ＯＦＤＭは、ＣＰ−ＯＦＤＭに対して変形プレコーディング（Transform precoding）が適用されることで与えられてもよい。
【００２３】
ＯＦＤＭシンボルは、該ＯＦＤＭシンボルに付加されるＣＰを含んだ呼称であってもよい。つまり、あるＯＦＤＭシンボルは、該あるＯＦＤＭシンボルと、該あるＯＦＤＭシンボルに付加されるＣＰを含んで構成されてもよい。
【００２４】
サブキャリア間隔（SCS: SubCarrier Spacing）は、サブキャリア間隔Δｆ＝２μ・１
５ｋＨｚによって与えられてもよい。例えば、サブキャリア間隔の設定（subcarrier spacing configuration）μは０、１、２、３、４、および／または、５のいずれかに設定されてもよい。あるＢＷＰ（BandWidth Part）のために、サブキャリア間隔の設定μが上位層のパラメータにより与えられてもよい。
【００２５】
本実施形態の一態様に係る無線通信システムにおいて、時間領域の長さの表現のために時間単位（タイムユニット）Ｔｃが用いられる。時間単位Ｔｃは、Ｔｃ＝１／（Δｆｍａｘ・Ｎｆ）で与えられてもよい。Δｆｍａｘは、本実施形態の一態様に係る無線通信システムにおいてサポートされるサブキャリア間隔の最大値であってもよい。Δｆｍａｘは、Δｆｍａｘ＝４８０ｋＨｚであってもよい。Ｎｆは、Ｎｆ＝４０９６であってもよい。定数κは、κ＝Δｆｍａｘ・Ｎｆ／（ΔｆｒｅｆＮｆ，ｒｅｆ）＝６４である。Δｆｒｅｆは、１５ｋＨｚであってもよい。Ｎｆ，ｒｅｆは、２０４８であってもよい。
【００２６】
定数κは、参照サブキャリア間隔とＴｃの関係を示す値であってもよい。定数κはサブフレームの長さのために用いられてもよい。定数κに少なくとも基づき、サブフレームに含まれるスロットの数が与えられてもよい。Δｆｒｅｆは、参照サブキャリア間隔であり、Ｎｆ，ｒｅｆは、参照サブキャリア間隔に対応する値である。
【００２７】
下りリンクにおける信号の送信、および／または、上りリンクにおける信号の送信は、１０ｍｓのフレームにより構成される。フレームは、１０個のサブフレームを含んで構成される。サブフレームの長さは１ｍｓである。フレームの長さは、サブキャリア間隔Δｆに関わらず与えられてもよい。つまり、フレームの設定はμに関わらず与えられてもよい。サブフレームの長さは、サブキャリア間隔Δｆに関わらず与えられてもよい。つまり、サブフレームの設定はμに関わらず与えられてもよい。
【００２８】
あるサブキャリア間隔の設定μのために、サブフレームに含まれるスロットの数とインデックスが与えられてもよい。例えば、スロット番号ｎμｓは、サブフレームにおいて０からＮｓｕｂｆｒａｍｅ，μｓｌｏｔ−１の範囲で昇順に与えられてもよい。サブキャリア間隔の設定μのために、フレームに含まれるスロットの数とインデックスが与えられてもよい。また、スロット番号ｎμｓ，ｆは、フレームにおいて０からＮｆｒａｍｅ，μｓｌｏｔ−１の範囲で昇順に与えられてもよい。連続するＮｓｌｏｔｓｙｍｂ個のＯＦＤＭシンボルが１つのスロットに含まれてもよい。Ｎｓｌｏｔｓｙｍｂは、および／または、
ＣＰ（Cyclic Prefix）設定の一部または全部に少なくとも基づき与えられてもよい。Ｃ
Ｐ設定は、上位層のパラメータに少なくとも基づき与えられてもよい。ＣＰ設定は、専用ＲＲＣシグナリングに少なくとも基づき与えられてもよい。スロット番号は、スロットインデックスとも呼称される。
【００２９】
図２は、本実施形態の一態様に係るＮｓｌｏｔｓｙｍｂ、サブキャリア間隔の設定μ、および、ＣＰ設定の関係を示す一例である。図２Ａにおいて、例えば、サブキャリア間隔の設定μが２であり、ＣＰ設定がノーマルＣＰ（normal cyclic prefix）である場合、Ｎｓｌｏｔｓｙｍｂ＝１４、Ｎｆｒａｍｅ，μｓｌｏｔ＝４０、Ｎｓｕｂｆｒａｍｅ，μｓｌｏｔ＝４である。また、図２Ｂにおいて、例えば、サブキャリア間隔の設定μが２であり、ＣＰ設定が拡張ＣＰ（extended cyclic prefix）である場合、Ｎｓｌｏｔｓｙｍｂ＝１２、Ｎｆｒａｍｅ，μｓｌｏｔ＝４０、Ｎｓｕｂｆｒａｍｅ，μｓｌｏｔ＝４である。
【００３０】
以下、物理リソースについて説明を行う。
【００３１】
アンテナポートは、１つのアンテナポートにおいてシンボルが伝達されるチャネルが、同一のアンテナポートにおいてその他のシンボルが伝達されるチャネルから推定できることによって定義される。１つのアンテナポートにおいてシンボルが伝達されるチャネルの大規模特性（large scale property）が、もう一つのアンテナポートにおいてシンボルが伝達されるチャネルから推定できる場合、２つのアンテナポートはＱＣＬ（Quasi Co-Located）であると呼称される。大規模特性は、チャネルの長区間特性を少なくとも含んでもよい。大規模特性は、遅延拡がり（delay spread）、ドップラー拡がり（Doppler spread）、ドップラーシフト（Doppler shift）、平均利得（average gain）、平均遅延（average delay）、および、ビームパラメータ（spatial Rx parameters）の一部または全部を
少なくとも含んでもよい。第１のアンテナポートと第２のアンテナポートがビームパラメータに関してＱＣＬであるとは、第１のアンテナポートに対して受信側が想定する受信ビームと第２のアンテナポートに対して受信側が想定する受信ビームとが同一であることであってもよい。第１のアンテナポートと第２のアンテナポートがビームパラメータに関してＱＣＬであるとは、第１のアンテナポートに対して受信側が想定する送信ビームと第２のアンテナポートに対して受信側が想定する送信ビームとが同一であることであってもよい。端末装置１は、１つのアンテナポートにおいてシンボルが伝達されるチャネルの大規模特性が、もう一つのアンテナポートにおいてシンボルが伝達されるチャネルから推定できる場合、２つのアンテナポートはＱＣＬであることが想定されてもよい。２つのアンテナポートがＱＣＬであることは、２つのアンテナポートがＱＣＬであることが想定されることであってもよい。
【００３２】
サブキャリア間隔の設定とキャリアのセットのために、Ｎｓｉｚｅ，μｇｒｉｄ，ｘＮＲＢｓｃ個のサブキャリアとＮｓｕｂｆｒａｍｅ，μｓｙｍｂ個のＯＦＤＭシンボルで定義されるリソースグリッドが与えられる。Ｎｓｉｚｅ，μｇｒｉｄ，ｘは、キャリアｘのためのサブキャリア間隔の設定μのために与えられるリソースブロック数を示してもよい。Ｎｓｉｚｅ，μｇｒｉｄ，ｘは、キャリアの帯域幅を示してもよい。Ｎｓｉｚｅ，μｇｒｉｄ，ｘは、上位層のパラメータＣａｒｒｉｅｒＢａｎｄｗｉｄｔｈの値に対応してもよい。キャリアｘは下りリンクキャリアまたは上りリンクキャリアのいずれかを示してもよい。つまり、ｘは“ＤＬ”、または、“ＵＬ”のいずれかであってもよい。ＮＲＢｓｃは、１つのリソースブロックに含まれるサブキャリア数を示してもよい。ＮＲＢｓｃは１２であってもよい。アンテナポートｐごとに、および／または、サブキャリア間隔の設定μごとに、および／または、送信方向（Transmission direction）の設定ごとに少なくとも１つのリソースグリッドが与えられてもよい。送信方向は、少なくとも下りリンク（DL: DownLink）および上りリンク（UL: UpLink）を含む。以下、アンテナポートｐ、サブキャリア間隔の設定μ、および、送信方向の設定の一部または全部を少なくとも含むパラメ
ータのセットは、第１の無線パラメータセットとも呼称される。つまり、リソースグリッドは、第１の無線パラメータセットごとに１つ与えられてもよい。
【００３３】
下りリンクにおいて、サービングセルに含まれるキャリアを下りリンクキャリア（または、下りリンクコンポーネントキャリア）と称する。上りリンクにおいて、サービングセルに含まれるキャリアを上りリンクキャリア（上りリンクコンポーネントキャリア）と称する。下りリンクコンポーネントキャリア、および、上りリンクコンポーネントキャリアを総称して、コンポーネントキャリア（または、キャリア）と称する。
【００３４】
サービングセルのタイプは、ＰＣｅｌｌ、ＰＳＣｅｌｌ、および、ＳＣｅｌｌのいずれかであってもよい。ＰＣｅｌｌは、初期接続においてＳＳ／ＰＢＣＨから取得されるセルＩＤに少なくとも基づき識別されるサービングセルであってもよい。ＳＣｅｌｌは、キャリアアグリゲーションにおいて用いられるサービングセルであってもよい。ＳＣｅｌｌは、専用ＲＲＣシグナリングに少なくとも基づき与えられるサービングセルであってもよい。
【００３５】
第１の無線パラメータセットごとに与えられるリソースグリッドの中の各要素は、リソースエレメントと呼称される。リソースエレメントは周波数領域のインデックスｋｓｃと、時間領域のインデックスｌｓｙｍにより特定される。ある第１の無線パラメータセットのために、リソースエレメントは周波数領域のインデックスｋｓｃと、時間領域のインデックスｌｓｙｍにより特定される。周波数領域のインデックスｋｓｃと時間領域のインデックスｌｓｙｍにより特定されるリソースエレメントは、リソースエレメント（ｋｓｃ、ｌｓｙｍ）とも呼称される。周波数領域のインデックスｋｓｃは、０からＮμＲＢＮＲＢｓｃ−１のいずれかの値を示す。ＮμＲＢはサブキャリア間隔の設定μのために与えられるリソースブロック数であってもよい。ＮμＲＢは、Ｎｓｉｚｅ，μｇｒｉｄ，ｘであってもよい。ＮＲＢｓｃは、リソースブロックに含まれるサブキャリア数であり、ＮＲＢｓｃ＝１２である。周波数領域のインデックスｋｓｃは、サブキャリアインデックスｋｓｃに対応してもよい。時間領域のインデックスｌｓｙｍは、ＯＦＤＭシンボルインデックスｌｓｙｍに対応してもよい。
【００３６】
図３は、本実施形態の一態様に係るサブフレームにおけるリソースグリッドの一例を示す概略図である。図３のリソースグリッドにおいて、横軸は時間領域のインデックスｌｓｙｍであり、縦軸は周波数領域のインデックスｋｓｃである。１つのサブフレームにおいて、リソースグリッドの周波数領域はＮμＲＢＮＲＢｓｃ個のサブキャリアを含む。１つのサブフレームにおいて、リソースグリッドの時間領域は１４・２μ個のＯＦＤＭシンボルを含んでもよい。１つのリソースブロックは、ＮＲＢｓｃ個のサブキャリアを含んで構成される。リソースブロックの時間領域は、１ＯＦＤＭシンボルに対応してもよい。リソースブロックの時間領域は、１４ＯＦＤＭシンボルに対応してもよい。リソースブロックの時間領域は、１または複数のスロットに対応してもよい。リソースブロックの時間領域は、１つのサブフレームに対応してもよい。
【００３７】
端末装置１は、リソースグリッドのサブセットのみを用いて送受信を行うことが指示されてもよい。リソースグリッドのサブセットは、ＢＷＰとも呼称され、ＢＷＰは上位層のパラメータ、および／または、ＤＣＩの一部または全部に少なくとも基づき与えられてもよい。ＢＷＰをキャリアバンドパート（Carrier Bandwidth Part）とも称する。端末装置１は、リソースグリッドのすべてのセットを用いて送受信を行なうことが指示されなくてもよい。端末装置１は、リソースグリッド内の一部の周波数リソースを用いて送受信を行なうことが指示されてもよい。１つのＢＷＰは、周波数領域における複数のリソースブロックから構成されてもよい。１つのＢＷＰは、周波数領域において連続する複数のリソースブロックから構成されてもよい。下りリンクキャリアに対して設定されるＢＷＰは、下
りリンクＢＷＰとも呼称される。上りリンクキャリアに対して設定されるＢＷＰは、上りリンクＢＷＰとも呼称される。ＢＷＰは、キャリアの帯域のサブセットであってもよい。
【００３８】
サービングセルのそれぞれに対して１または複数の下りリンクＢＷＰが設定されてもよい。サービングセルのそれぞれに対して１または複数の上りリンクＢＷＰが設定されてもよい。
【００３９】
サービングセルに対して設定される１または複数の下りリンクＢＷＰのうち、１つの下りリンクＢＷＰがアクティブ下りリンクＢＷＰに設定されてもよい。下りリンクのＢＷＰスイッチは、１つのアクティブ下りリンクＢＷＰをディアクティベート（deactivate）し、該１つのアクティブ下りリンクＢＷＰ以外のインアクティブ下りリンクＢＷＰをアクティベート（activate）するために用いられる。下りリンクのＢＷＰスイッチは、下りリンク制御情報に含まれるＢＷＰフィールドにより制御されてもよい。下りリンクのＢＷＰスイッチは、上位層のパラメータに基づき制御されてもよい。
【００４０】
アクティブ下りリンクＢＷＰにおいて、ＤＬ−ＳＣＨが受信されてもよい。アクティブ下りリンクＢＷＰにおいて、ＰＤＣＣＨがモニタされてもよい。アクティブ下りリンクＢＷＰにおいて、ＰＤＳＣＨが受信されてもよい。
【００４１】
インアクティブ下りリンクＢＷＰにおいて、ＤＬ−ＳＣＨが受信されない。インアクティブ下りリンクＢＷＰにおいて、ＰＤＣＣＨがモニタされない。インアクティブ下りリンクＢＷＰのためのＣＳＩは報告されない。
【００４２】
サービングセルに対して設定される１または複数の下りリンクＢＷＰのうち、２つ以上の下りリンクＢＷＰがアクティブ下りリンクＢＷＰに設定されなくてもよい。
【００４３】
サービングセルに対して設定される１または複数の上りリンクＢＷＰのうち、１つの上りリンクＢＷＰがアクティブ上りリンクＢＷＰに設定されてもよい。上りリンクのＢＷＰスイッチは、１つのアクティブ上りリンクＢＷＰをディアクティベート（deactivate）し、該１つのアクティブ上りリンクＢＷＰ以外のインアクティブ上りリンクＢＷＰをアクティベート（activate）するために用いられる。上りリンクのＢＷＰスイッチは、下りリンク制御情報に含まれるＢＷＰフィールドにより制御されてもよい。上りリンクのＢＷＰスイッチは、上位層のパラメータに基づき制御されてもよい。
【００４４】
アクティブ上りリンクＢＷＰにおいて、ＵＬ−ＳＣＨが送信されてもよい。アクティブ上りリンクＢＷＰにおいて、ＰＵＣＣＨが送信されてもよい。アクティブ上りリンクＢＷＰにおいて、ＰＲＡＣＨが送信されてもよい。アクティブ上りリンクＢＷＰにおいて、ＳＲＳが送信されてもよい。
【００４５】
インアクティブ上りリンクＢＷＰにおいて、ＵＬ−ＳＣＨが送信されない。インアクティブ上りリンクＢＷＰにおいて、ＰＵＣＣＨが送信されない。インアクティブ上りリンクＢＷＰにおいて、ＰＲＡＣＨが送信されない。インアクティブ上りリンクＢＷＰにおいて、ＳＲＳが送信されない。
【００４６】
サービングセルに対して設定される１または複数の上りリンクＢＷＰのうち、２つ以上の上りリンクＢＷＰがアクティブ上りリンクＢＷＰに設定されなくてもよい。
【００４７】
上位層のパラメータは、上位層の信号に含まれるパラメータである。上位層の信号は、ＲＲＣ（Radio Resource Control）シグナリングであってもよいし、ＭＡＣ  ＣＥ（Medium Access Control Control Element）であってもよい。ここで、上位層の信号は、ＲＲ
Ｃ層の信号であってもよいし、ＭＡＣ層の信号であってもよい。
【００４８】
上位層の信号は、共通ＲＲＣシグナリング（common RRC signaling）であってもよい。共通ＲＲＣシグナリングは、以下の特徴Ｃ１から特徴Ｃ３の一部または全部を少なくとも備えてもよい。
特徴Ｃ１）ＢＣＣＨロジカルチャネル、または、ＣＣＣＨロジカルチャネルにマップされる
特徴Ｃ２）ＲｅｃｏｎｆｉｇｒａｔｉｏｎＷｉｔｈＳｙｎｃ情報要素を少なくとも含む
特徴Ｃ３）ＰＢＣＨにマップされる
【００４９】
ＲｅｃｏｎｆｉｇｒａｔｉｏｎＷｉｔｈＳｙｎｃ情報要素は、サービングセルにおいて共通に用いられる設定を示す情報を含んでもよい。サービングセルにおいて共通に用いられる設定は、ＰＲＡＣＨの設定を少なくとも含んでもよい。該ＰＲＡＣＨの設定は、１または複数のランダムアクセスプリアンブルインデックスを少なくとも示してもよい。該ＰＲＡＣＨの設定は、ＰＲＡＣＨの時間／周波数リソースを少なくとも示してもよい。
【００５０】
共通ＲＲＣシグナリングは、共通ＲＲＣパラメータを少なくとも含んでもよい。共通ＲＲＣパラメータは、サービングセル内において共通に用いられる（Cell-specific）パラ
メータであってもよい。
【００５１】
上位層の信号は、専用ＲＲＣシグナリング（dedicated RRC signaling）であってもよ
い。専用ＲＲＣシグナリングは、以下の特徴Ｄ１からＤ２の一部または全部を少なくとも備えてもよい。
特徴Ｄ１）ＤＣＣＨロジカルチャネルにマップされる
特徴Ｄ２）ＲｅｃｏｎｆｉｇｒａｔｉｏｎＷｉｔｈＳｙｎｃ情報要素を含まない
【００５２】
例えば、ＭＩＢ（Master Information Block）、および、ＳＩＢ（System Information
Block）は共通ＲＲＣシグナリングに含まれてもよい。また、ＤＣＣＨロジカルチャネルにマップされ、かつ、ＲｅｃｏｎｆｉｇｒａｔｉｏｎＷｉｔｈＳｙｎｃ情報要素を少なくとも含む上位層のメッセージは、共通ＲＲＣシグナリングに含まれてもよい。また、ＤＣＣＨロジカルチャネルにマップされ、かつ、ＲｅｃｏｎｆｉｇｒａｔｉｏｎＷｉｔｈＳｙｎｃ情報要素を含まない上位層のメッセージは、専用ＲＲＣシグナリングに含まれてもよい。
【００５３】
ＳＩＢは、ＳＳ（Synchronization Signal）ブロックの時間インデックスを少なくとも示してもよい。ＳＳブロック（SS block）は、ＳＳ／ＰＢＣＨブロック（SS/PBCH block
）とも呼称される。ＳＩＢは、ＰＲＡＣＨリソースに関連する情報を少なくとも含んでもよい。ＳＩＢは、初期接続の設定に関連する情報を少なくとも含んでもよい。
【００５４】
ＲｅｃｏｎｆｉｇｒａｔｉｏｎＷｉｔｈＳｙｎｃ情報要素は、ＰＲＡＣＨリソースに関連する情報を少なくとも含んでもよい。ＲｅｃｏｎｆｉｇｒａｔｉｏｎＷｉｔｈＳｙｎｃ情報要素は、初期接続の設定に関連する情報を少なくとも含んでもよい。
【００５５】
専用ＲＲＣシグナリングは、専用ＲＲＣパラメータを少なくとも含んでもよい。専用ＲＲＣパラメータは、端末装置１に専用に用いられる（UE-specific）パラメータであって
もよい。専用ＲＲＣシグナリングは、共通ＲＲＣパラメータを少なくとも含んでもよい。
【００５６】
共通ＲＲＣパラメータおよび専用ＲＲＣパラメータは、上位層のパラメータとも呼称される。
【００５７】
以下、本実施形態の種々の態様に係る物理チャネルおよび物理シグナルを説明する。
【００５８】
上りリンク物理チャネルは、上位層において発生する情報を運ぶリソースエレメントのセットに対応してもよい。上りリンク物理チャネルは、上りリンクキャリアにおいて用いられる物理チャネルである。本実施形態の一態様に係る無線通信システムにおいて、少なくとも下記の一部または全部の上りリンク物理チャネルが用いられる。
・ＰＵＣＣＨ（Physical Uplink Control CHannel）
・ＰＵＳＣＨ（Physical Uplink Shared CHannel）
・ＰＲＡＣＨ（Physical Random Access CHannel）
【００５９】
ＰＵＣＣＨは、上りリンク制御情報（UCI:Uplink Control Information）を送信するために用いられてもよい。上りリンク制御情報は、チャネル状態情報（CSI:Channel State Information）、スケジューリングリクエスト（SR:Scheduling Request）、トランスポートブロック（TB:Transport block， MAC PDU:Medium Access Control Protocol Data Unit， DL-SCH:Downlink-Shared Channel， PDSCH:Physical Downlink Shared Channel）に
対応するＨＡＲＱ−ＡＣＫ（Hybrid Automatic Repeat request ACKnowledgement）情報
の一部または全部を含む。
【００６０】
ＰＵＣＣＨに上りリンク制御情報が多重されてもよい。該多重されたＰＵＣＣＨは送信されてもよい。
【００６１】
ＨＡＲＱ−ＡＣＫ情報は、トランスポートブロックに対応するＨＡＲＱ−ＡＣＫビットを少なくとも含んでもよい。ＨＡＲＱ−ＡＣＫビットは、トランスポートブロックに対応するＡＣＫ（acknowledgement）またはＮＡＣＫ（negative-acknowledgement）を示して
もよい。ＡＣＫは、該トランスポートブロックの復号が成功裏に完了していることを示す値であってもよい。ＮＡＣＫは、該トランスポートブロックの復号が成功裏に完了していないことを示す値であってもよい。ＨＡＲＱ−ＡＣＫ情報は、１または複数のＨＡＲＱ−ＡＣＫビットを含むＨＡＲＱ−ＡＣＫコードブックを少なくとも１つ含んでもよい。ＨＡＲＱ−ＡＣＫビットが１または複数のトランスポートブロックに対応することは、ＨＡＲＱ−ＡＣＫビットが該１または複数のトランスポートブロックを含むＰＤＳＣＨに対応することであってもよい。
【００６２】
ＨＡＲＱ−ＡＣＫビットは、トランスポートブロックに含まれる１つのＣＢＧ（Code Block Group）に対応するＡＣＫまたはＮＡＣＫを示してもよい。ＨＡＲＱ−ＡＣＫ情報は、ＨＡＲＱ−ＡＣＫ、ＨＡＲＱフィードバック、ＨＡＲＱ情報、ＨＡＲＱ制御情報、ＨＡＲＱ−ＡＣＫメッセージとも呼称される。
【００６３】
スケジューリングリクエスト（SR: Scheduling Request）は、初期送信のためのＰＵＳＣＨのリソースを要求するために少なくとも用いられてもよい。スケジューリングリクエストビットは、正のＳＲ（positive SR）または、負のＳＲ（negative SR）のいずれかを示すために用いられてもよい。スケジューリングリクエストビットが正のＳＲを示すことは、“正のＳＲが送信される”とも呼称される。正のＳＲは、端末装置１によって初期送信のためのＰＵＳＣＨのリソースが要求されることを示してもよい。正のＳＲは、上位層によりスケジューリングリクエストがトリガされることを示してもよい。正のＳＲは、上位層によりスケジューリングリクエストを送信することが指示された場合に、送信されてもよい。スケジューリングリクエストビットが負のＳＲを示すことは、“負のＳＲが送信される”とも呼称される。負のＳＲは、端末装置１によって初期送信のためのＰＵＳＣＨのリソースが要求されないことを示してもよい。負のＳＲは、上位層によりスケジューリングリクエストがトリガされないことを示してもよい。負のＳＲは、上位層によりスケジューリングリクエストを送信することが指示されない場合に、送信されてもよい。
【００６４】
スケジューリングリクエストビットは、１または複数のＳＲ設定（SR configuration）のいずれかに対する正のＳＲ、または、負のＳＲのいずれかを示すために用いられてもよい。該１または複数のＳＲ設定のそれぞれは、１または複数のロジカルチャネルに対応してもよい。あるＳＲ設定に対する正のＳＲは、該あるＳＲ設定に対応する１または複数のロジカルチャネルのいずれかまたは全部に対する正のＳＲであってもよい。負のＳＲは、特定のＳＲ設定に対応しなくてもよい。負のＳＲが示されることは、全てのＳＲ設定に対して負のＳＲが示されることであってもよい。
【００６５】
ＳＲ設定は、スケジューリングリクエストＩＤ（Scheduling Request ID）であっても
よい。スケジューリングリクエストＩＤは、上位層のパラメータにより与えられてもよい。
【００６６】
チャネル状態情報は、チャネル品質指標（CQI: Channel Quality Indicator）、プレコーダ行列指標（PMI:Precoder Matrix Indicator）、および、ランク指標（RI: Rank Indicator）の一部または全部を少なくとも含んでもよい。ＣＱＩは、チャネルの品質（例え
ば、伝搬強度）に関連する指標であり、ＰＭＩは、プレコーダを指示する指標である。ＲＩは、送信ランク（または、送信レイヤ数）を指示する指標である。
【００６７】
チャネル状態情報は、チャネル測定のために少なくとも用いられる物理信号（例えば、ＣＳＩ−ＲＳ）を受信することに少なくとも基づき与えられてもよい。チャネル状態情報は、端末装置１によって選択される値が含まれてもよい。チャネル状態情報は、チャネル測定のために少なくとも用いられる物理信号を受信することに少なくとも基づき、端末装置１によって選択されてもよい。チャネル測定は、干渉測定を含む。
【００６８】
チャネル状態情報報告は、チャネル状態情報の報告である。チャネル状態情報報告は、ＣＳＩパート１、および／または、ＣＳＩパート２を含んでもよい。ＣＳＩパート１は、広帯域チャネル品質情報（wideband CQI）、広帯域プレコーダ行列指標（wideband PMI）、ランク指標の一部または全部を少なくとも含んで構成されてもよい。ＰＵＣＣＨに多重されるＣＳＩパート１のビット数は、チャネル状態情報報告のランク指標の値に関わらず所定の値であってもよい。ＰＵＣＣＨに多重されるＣＳＩパート２のビット数は、チャネル状態情報報告のランク指標の値に基づき与えられてもよい。チャネル状態情報報告のランク指標は、該チャネル状態情報報告の算出のために用いられるランク指標の値であってもよい。チャネル状態情報のランク指標は、該チャネル状態情報報告に含まれるランク指標フィールドにより示される値であってもよい。
【００６９】
チャネル状態情報報告において許可されるランク指標のセットは、１から８の一部または全部であってもよい。チャネル状態情報報告において許可されるランク指標のセットは、上位層のパラメータＲａｎｋＲｅｓｔｒｉｃｔｉｏｎに少なくとも基づき与えられてもよい。チャネル状態情報報告において許可されるランク指標のセットが１つの値のみを含む場合、該チャネル状態情報報告のランク指標は該１つの値であってもよい。
【００７０】
チャネル状態情報報告に対して、優先度が設定されてもよい。チャネル状態情報報告の優先度は、該チャネル状態情報報告の時間領域のふるまいに関する設定、該チャネル状態情報報告のコンテンツのタイプ、該チャネル状態情報報告のインデックス、および／または、該チャネル状態情報報告の測定が設定されるサービングセルのインデックスの一部または全部に少なくとも基づき与えられてもよい。
【００７１】
チャネル状態情報報告の時間領域のふるまいに関する設定は、該チャネル状態情報報告が非周期的に（aperiodic）行われるか、該チャネル状態情報報告が半永続的に（semi-pe
rsistent）行われるか、または、準静的に行われるか、のいずれかを示す設定であってもよい。
【００７２】
チャネル状態情報報告のコンテンツのタイプは、該チャネル状態情報報告がレイヤ１のＲＳＲＰ（Reference Signals Received Power）を含むか否かを示してもよい。
【００７３】
チャネル状態情報報告のインデックスは、上位層のパラメータにより与えられてもよい。
【００７４】
ＰＵＣＣＨは、ＰＵＣＣＨフォーマット（ＰＵＣＣＨフォーマット０からＰＵＣＣＨフォーマット４）をサポートする。ＰＵＣＣＨフォーマットは、ＰＵＣＣＨで送信されてもよい。ＰＵＣＣＨフォーマットが送信されることは、ＰＵＣＣＨが送信されることであってもよい。
【００７５】
図４は、本実施形態の一態様に係るＰＵＣＣＨフォーマットとＰＵＣＣＨフォーマットの長さＮＰＵＣＣＨｓｙｍｂの関係の一例を示す図である。ＰＵＣＣＨフォーマット０の長さＮＰＵＣＣＨｓｙｍｂは、１または２ＯＦＤＭシンボルである。ＰＵＣＣＨフォーマット１の長さＮＰＵＣＣＨｓｙｍｂは、４から１４ＯＦＤＭシンボルのいずれかである。ＰＵＣＣＨフォーマット２の長さＮＰＵＣＣＨｓｙｍｂは、１または２ＯＦＤＭシンボルである。ＰＵＣＣＨフォーマット３の長さＮＰＵＣＣＨｓｙｍｂは、４から１４ＯＦＤＭシンボルのいずれかである。ＰＵＣＣＨフォーマット４の長さＮＰＵＣＣＨｓｙｍｂは、４から１４ＯＦＤＭシンボルのいずれかである。
【００７６】
ＰＵＳＣＨは、トランスポートブロック（TB， MAC PDU， UL-SCH）を送信するために
少なくとも用いられる。ＰＵＳＣＨは、トランスポートブロック、ＨＡＲＱ−ＡＣＫ情報、チャネル状態情報、および、スケジューリングリクエストの一部または全部を少なくとも送信するために用いられてもよい。ＰＵＳＣＨは、ランダムアクセスメッセージ３を送信するために少なくとも用いられる。
【００７７】
ＰＲＡＣＨは、ランダムアクセスプリアンブル（ランダムアクセスメッセージ１）を送信するために少なくとも用いられる。ＰＲＡＣＨは、初期コネクション確立（initial connection establishment）プロシージャ、ハンドオーバプロシージャ、コネクション再確立（connection re-establishment）プロシージャ、ＰＵＳＣＨの送信に対する同期（タ
イミング調整）、およびＰＵＳＣＨのためのリソースの要求の一部または全部を示すために少なくとも用いられてもよい。ランダムアクセスプリアンブルは、端末装置１の上位層より与えられるインデックス（ランダムアクセスプリアンブルインデックス）を基地局装置３に通知するために用いられてもよい。
【００７８】
ランダムアクセスプリアンブルは、物理ルートシーケンスインデックスｕに対応するＺａｄｏｆｆ−Ｃｈｕ系列をサイクリックシフトすることによって与えられてもよい。Ｚａｄｏｆｆ−Ｃｈｕ系列は、物理ルートシーケンスインデックスｕに基づいて生成されてもよい。１つのサービングセル（serving cell）において、複数のランダムアクセスプリアンブルが定義されてもよい。ランダムアクセスプリアンブルは、ランダムアクセスプリアンブルのインデックスに少なくとも基づき特定されてもよい。ランダムアクセスプリアンブルの異なるインデックスに対応する異なるランダムアクセスプリアンブルは、物理ルートシーケンスインデックスｕとサイクリックシフトの異なる組み合わせに対応してもよい。物理ルートシーケンスインデックスｕ、および、サイクリックシフトは、システム情報に含まれる情報に少なくとも基づいて与えられてもよい。物理ルートシーケンスインデックスｕは、ランダムアクセスプリアンブルに含まれる系列を識別するインデックスであってもよい。ランダムアクセスプリアンブルは、物理ルートシーケンスインデックスｕに少
なくとも基づき特定されてもよい。
【００７９】
図１において、上りリンクの無線通信では、以下の上りリンク物理シグナルが用いられる。上りリンク物理シグナルは、上位層から出力された情報を送信するために使用されなくてもよいが、物理層によって使用される。
・ＵＬ  ＤＭＲＳ（UpLink Demodulation Reference Signal）
・ＳＲＳ（Sounding Reference Signal）
・ＵＬ  ＰＴＲＳ（UpLink Phase Tracking Reference Signal）
【００８０】
ＵＬ  ＤＭＲＳは、ＰＵＳＣＨ、および／または、ＰＵＣＣＨの送信に関連する。ＵＬ
ＤＭＲＳは、ＰＵＳＣＨまたはＰＵＣＣＨと多重される。基地局装置３は、ＰＵＳＣＨまたはＰＵＣＣＨの伝搬路補正を行なうためにＵＬ  ＤＭＲＳを使用してよい。以下、ＰＵＳＣＨと、該ＰＵＳＣＨに関連するＵＬ  ＤＭＲＳを共に送信することを、単に、ＰＵＳＣＨを送信する、と称する。以下、ＰＵＣＣＨと該ＰＵＣＣＨに関連するＵＬ  ＤＭＲＳを共に送信することを、単に、ＰＵＣＣＨを送信する、と称する。ＰＵＳＣＨに関連するＵＬ  ＤＭＲＳは、ＰＵＳＣＨ用ＵＬ  ＤＭＲＳとも称される。ＰＵＣＣＨに関連するＵＬ  ＤＭＲＳは、ＰＵＣＣＨ用ＵＬ  ＤＭＲＳとも称される。
【００８１】
ＳＲＳは、ＰＵＳＣＨまたはＰＵＣＣＨの送信に関連しなくてもよい。基地局装置３は、チャネル状態の測定のためにＳＲＳを用いてもよい。ＳＲＳは、上りリンクスロットにおけるサブフレームの最後、または、最後から所定数のＯＦＤＭシンボルにおいて送信されてもよい。
【００８２】
ＵＬ  ＰＴＲＳは、位相トラッキングのために少なくとも用いられる参照信号であってもよい。ＵＬ  ＰＴＲＳは、１または複数のＵＬ  ＤＭＲＳに用いられるアンテナポートを少なくとも含むＵＬ  ＤＭＲＳグループに関連してもよい。ＵＬ  ＰＴＲＳとＵＬ  ＤＭＲＳグループが関連することは、ＵＬ  ＰＴＲＳのアンテナポートとＵＬ  ＤＭＲＳグループに含まれるアンテナポートの一部または全部が少なくともＱＣＬであることであってもよい。ＵＬ  ＤＭＲＳグループは、ＵＬ  ＤＭＲＳグループに含まれるＵＬ  ＤＭＲＳにおいて最も小さいインデックスのアンテナポートに少なくとも基づき識別されてもよい。ＵＬ  ＰＴＲＳは、１つのコードワードがマップされる１または複数のアンテナポートにおいて、最もインデックスの小さいアンテナポートにマップされてもよい。ＵＬ  ＰＴＲＳは、１つのコードワードが第１のレイヤ及び第２のレイヤに少なくともマップされる場合に、該第１のレイヤにマップされてもよい。ＵＬ  ＰＴＲＳは、該第２のレイヤにマップされなくてもよい。ＵＬ  ＰＴＲＳがマップされるアンテナポートのインデックスは、下りリンク制御情報に少なくとも基づき与えられてもよい。
【００８３】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＰＢＣＨ（Physical Broadcast Channel）
・ＰＤＣＣＨ（Physical Downlink Control Channel）
・ＰＤＳＣＨ（Physical Downlink Shared Channel）
【００８４】
ＰＢＣＨは、ＭＩＢ、および／または、ＰＢＣＨペイロードを送信するために少なくとも用いられる。ＰＢＣＨペイロードは、ＳＳブロックの送信タイミングに関するインデックスを示す情報を少なくとも含んでもよい。ＰＢＣＨペイロードは、ＳＳブロックの識別子（インデックス）に関連する情報を含んでもよい。ＰＢＣＨは、所定の送信間隔に基づき送信されてもよい。ＰＢＣＨは、８０ｍｓの間隔で送信されてもよい。ＰＢＣＨは、１６０ｍｓの間隔で送信されてもよい。ＰＢＣＨに含まれる情報の中身は、８０ｍｓごとに
更新されてもよい。ＰＢＣＨに含まれる情報の一部または全部は、１６０ｍｓごとに更新されてもよい。ＰＢＣＨは、２８８サブキャリアにより構成されてもよい。ＰＢＣＨは、２、３、または、４つのＯＦＤＭシンボルを含んで構成されてもよい。ＭＩＢは、ＳＳブロックの識別子（インデックス）に関連する情報を含んでもよい。ＭＩＢは、ＰＢＣＨが送信されるスロットの番号、サブフレームの番号、および／または、無線フレームの番号の少なくとも一部を指示する情報を含んでもよい。
【００８５】
ＰＤＣＣＨは、下りリンク制御情報（DCI:Downlink Control Information）の送信のために少なくとも用いられてもよい。ＰＤＣＣＨは、下りリンク制御情報を少なくとも含んで送信されてもよい。下りリンク制御情報は、ＤＣＩフォーマットとも呼称される。下りリンク制御情報は、下りリンクグラント（downlink grant）または上りリンクグラント（uplink grant）のいずれかを少なくとも示してもよい。ＰＤＳＣＨのスケジューリングのために用いられるＤＣＩフォーマットは、下りリンクＤＣＩフォーマットとも呼称される。ＰＵＳＣＨのスケジューリングのために用いられるＤＣＩフォーマットは、上りリンクＤＣＩフォーマットとも呼称される。下りリンクグラントは、下りリンクアサインメント（downlink assignment）または下りリンク割り当て（downlink allocation）とも呼称される。上りリンクＤＣＩフォーマットは、ＤＣＩフォーマット０＿０およびＤＣＩフォーマット０＿１の一方または両方を少なくとも含む。
【００８６】
ＤＣＩフォーマット０＿０は、１Ａから１Ｆの一部または全部を少なくとも含んで構成される。
１Ａ）ＤＣＩフォーマット特定フィールド（Identifier for DCI formats field）
１Ｂ）周波数領域リソース割り当てフィールド（Frequency domain resource assignment
field）
１Ｃ）上りリンクの時間領域リソース割り当てフィールド（Uplink Time domain resource assignment field）
１Ｄ）周波数ホッピングフラグフィールド（Frequency hopping flag field）
１Ｅ）ＭＣＳフィールド（MCS field: Modulation and Coding Scheme field）
１Ｆ）第１のＣＳＩリスエストフィールド（First CSI request field）
【００８７】
ＤＣＩフォーマット特定フィールドは、該ＤＣＩフォーマット特定フィールドを含むＤＣＩフォーマットが１または複数のＤＣＩフォーマットのいずれに対応するかを示すために少なくとも用いられてもよい。該１または複数のＤＣＩフォーマットは、ＤＣＩフォーマット１＿０、ＤＣＩフォーマット１＿１、ＤＣＩフォーマット０＿０、および／または、ＤＣＩフォーマット０＿１の一部または全部に少なくとも基づき与えられてもよい。
【００８８】
周波数領域リソース割り当てフィールドは、該周波数領域リソース割り当てフィールドを含むＤＣＩフォーマットによりスケジューリングされるＰＵＳＣＨのための周波数リソースの割り当てを示すために少なくとも用いられてもよい。
【００８９】
上りリンクの時間領域リソース割り当てフィールドは、該上りリンクの時間領域リソース割り当てフィールドを含むＤＣＩフォーマットによりスケジューリングされるＰＵＳＣＨのための時間リソースの割り当てを示すために少なくとも用いられてもよい。
【００９０】
周波数ホッピングフラグフィールドは、該周波数ホッピングフラグフィールドを含むＤＣＩフォーマットによりスケジューリングされるＰＵＳＣＨに対して周波数ホッピングが適用されるか否かを示すために少なくとも用いられてもよい。
【００９１】
ＭＣＳフィールドは、該ＭＣＳフィールドを含むＤＣＩフォーマットによりスケジューリングされるＰＵＳＣＨのための変調方式、および／または、ターゲット符号化率の一部
または全部を示すために少なくとも用いられてもよい。該ターゲット符号化率は、該ＰＵＳＣＨのトランスポートブロックのためのターゲット符号化率であってもよい。該トランスポートブロックのサイズ（TBS: Transport Block Size）は、該ターゲット符号化率に
少なくとも基づき与えられてもよい。
【００９２】
第１のＣＳＩリクエストフィールドは、ＣＳＩの報告を指示するために少なくとも用いられる。第１のＣＳＩリクエストフィールドのサイズは、所定の値であってもよい。第１のＣＳＩリクエストフィールドのサイズは、０であってもよいし、１であってもよいし、２であってもよいし、３であってもよい。
【００９３】
ＤＣＩフォーマット０＿１は、２Ａから２Ｈの一部または全部を少なくとも含んで構成される。
２Ａ）ＤＣＩフォーマット特定フィールド
２Ｂ）周波数領域リソース割り当てフィールド
２Ｃ）上りリンクの時間領域リソース割り当てフィールド
２Ｄ）周波数ホッピングフラグフィールド
２Ｅ）ＭＣＳフィールド
２Ｆ）第２のＣＳＩリクエストフィールド（Second CSI request field）
２Ｇ）ＢＷＰフィールド（BWP field）
２Ｈ）ＵＬ  ＤＡＩフィールド（Up link Downlink Assignment Indicator field）
【００９４】
ＢＷＰフィールドは、ＤＣＩフォーマット０＿１によりスケジューリングされるＰＵＳＣＨがマップされる上りリンクＢＷＰを指示するために用いられてもよい。
【００９５】
第２のＣＳＩリクエストフィールドは、ＣＳＩの報告を指示するために少なくとも用いられる。第２のＣＳＩリクエストフィールドのサイズは、上位層のパラメータＲｅｐｏｒｔＴｒｉｇｇｅｒＳｉｚｅに少なくとも基づき与えられてもよい。
【００９６】
ＵＬ  ＤＡＩフィールドは、ＨＡＲＱ−ＡＣＫ情報のコードブックの生成のために少なくとも用いられてもよい。ＶＵＬＤＡＩは、ＵＬ  ＤＡＩフィールドの値に少なくとも基づき与えられてもよい。ＶＵＬＤＡＩは、ＵＬ  ＤＡＩとも呼称される。
【００９７】
下りリンクＤＣＩフォーマットは、ＤＣＩフォーマット１＿０、および、ＤＣＩフォーマット１＿１の一方または両方を少なくとも含む。
【００９８】
ＤＣＩフォーマット１＿０は、３Ａから３Ｉの一部または全部を少なくとも含んで構成される。
３Ａ）ＤＣＩフォーマット特定フィールド（Identifier for DCI formats field）
３Ｂ）周波数領域リソース割り当てフィールド（Frequency domain resource assignment
field）
３Ｃ）下りリンクの時間領域リソース割り当てフィールド（Downlink Time domain resource assignment field）
３Ｄ）周波数ホッピングフラグフィールド（Frequency hopping flag field）
３Ｅ）ＭＣＳフィールド（MCS field: Modulation and Coding Scheme field）
３Ｆ）第１のＣＳＩリスエストフィールド（First CSI request field）
３Ｇ）ＰＤＳＣＨからＨＡＲＱフィードバックへのタイミング指示フィールド（PDSCH to
HARQ feedback timing indicator field）
３Ｈ）ＰＵＣＣＨリソース指示フィールド（PUCCH resource indicator field）
３Ｉ）カウンターＤＡＩフィールド（Counter Downlink Assignment Indicator field）
【００９９】
下りリンクの時間領域リソース割り当てフィールドは、タイミングＫ０、ＤＭＲＳのマッピングタイプ、ＰＤＳＣＨがマップされるＯＦＤＭシンボルの一部または全部を少なくとも示すために用いられてもよい。ＰＤＣＣＨが含まれるスロットのインデックスがスロットｎである場合、該ＰＤＳＣＨが含まれるスロットのインデックスはｎ＋Ｋ０であってもよい。
【０１００】
ＰＤＳＣＨからＨＡＲＱフィードバックへのタイミング指示フィールドは、タイミングＫ１を示すフィールドであってもよい。ＰＤＳＣＨの最後のＯＦＤＭシンボルが含まれるスロットのインデックスがスロットｎである場合、該ＰＤＳＣＨに含まれるトランスポートブロックに対応するＨＡＲＱ−ＡＣＫを少なくとも含むＰＵＣＣＨまたはＰＵＳＣＨが含まれるスロットのインデックスはｎ＋Ｋ１であってもよい。ＰＤＳＣＨの最後のＯＦＤＭシンボルが含まれるスロットのインデックスがスロットｎである場合、該ＰＤＳＣＨに含まれるトランスポートブロックに対応するＨＡＲＱ−ＡＣＫを少なくとも含むＰＵＣＣＨの先頭のＯＦＤＭシンボルまたはＰＵＳＣＨの先頭のＯＦＤＭシンボルが含まれるスロットのインデックスはｎ＋Ｋ１であってもよい。
【０１０１】
ＰＵＣＣＨリソース指示フィールドは、ＰＵＣＣＨリソースセットに含まれる１または複数のＰＵＣＣＨリソースのインデックスを示すフィールドであってもよい。
【０１０２】
カウンターＤＡＩフィールドは、ＨＡＲＱ−ＡＣＫ情報のコードブックの生成のために少なくとも用いられてもよい。ＶＤＬＣ−ＤＡＩ，ｃ，ｍは、カウンターＤＡＩフィールドの値に少なくとも基づき与えられてもよい。ＶＤＬＣ−ＤＡＩ，ｃ，ｍは、カウンターＤＡＩとも呼称される。
【０１０３】
ＤＣＩフォーマット１＿１は、４Ａから４Ｋの一部または全部を少なくとも含んで構成される。
４Ａ）ＤＣＩフォーマット特定フィールド（Identifier for DCI formats field）
４Ｂ）周波数領域リソース割り当てフィールド（Frequency domain resource assignment
field）
４Ｃ）下りリンクの時間領域リソース割り当てフィールド（Time domain resource assignment field）
４Ｄ）周波数ホッピングフラグフィールド（Frequency hopping flag field）
４Ｅ）ＭＣＳフィールド（MCS field: Modulation and Coding Scheme field）
４Ｆ）第１のＣＳＩリスエストフィールド（First CSI request field）
４Ｇ）ＰＤＳＣＨからＨＡＲＱフィードバックへのタイミング指示フィールド（PDSCH to
HARQ feedback timing indicator field）
４Ｈ）ＰＵＣＣＨリソース指示フィールド（PUCCH resource indicator field）
４Ｊ）ＢＷＰフィールド（BWP field）
４Ｋ）ＤＡＩフィールド（Downlink Assignment Indicator field）
【０１０４】
ＢＷＰフィールドは、ＤＣＩフォーマット１＿１によりスケジューリングされるＰＤＳＣＨがマップされる下りリンクＢＷＰを指示するために用いられてもよい。
【０１０５】
ＤＡＩフィールドは、ＨＡＲＱ−ＡＣＫ情報のコードブックの生成のために少なくとも用いられてもよい。ＶＤＬＴ−ＤＡＩ，ｍは、ＤＡＩフィールドの値に少なくとも基づき与えられてもよい。ＶＤＬＣ−ＤＡＩ，ｃ，ｍは、ＤＡＩフィールドの値に少なくとも基づき与えられてもよい。ＶＤＬＴ−ＤＡＩ，ｍは、トータルＤＡＩとも呼称される。
【０１０６】
ＤＣＩフォーマット２＿０は、スロットフォーマットを示すために少なくとも用いられてもよい。スロットフォーマットは、あるスロットを構成するＯＦＤＭシンボルのそれぞ
れに対する送信方向（下りリンク、上りリンク、または、ＸＸＸ）を示す情報であってもよい。ＸＸＸは、送信方向を示さないことであってもよい。
【０１０７】
本実施形態の種々の態様において、特別な記載のない限り、リソースブロックの数は周波数領域におけるリソースブロックの数を示す。
【０１０８】
１つの物理チャネルは、１つのサービングセルにマップされてもよい。１つの物理チャネルは、１つのサービングセルに含まれる１つのキャリアに設定される１つのキャリアバンドパートにマップされてもよい。
【０１０９】
端末装置１は、１または複数の制御リソースセット（CORESET:COntrol REsource SET）が与えられる。端末装置１は、１または複数の制御リソースセットにおいてＰＤＣＣＨを監視（monitor）する。
【０１１０】
制御リソースセットは、１つまたは複数のＰＤＣＣＨがマップされうる時間周波数領域を示してもよい。制御リソースセットは、端末装置１がＰＤＣＣＨを監視する領域であってもよい。制御リソースセットは、連続的なリソース（Localized resource）により構成されてもよい。制御リソースセットは、非連続的なリソース（distributed resource）により構成されてもよい。
【０１１１】
周波数領域において、制御リソースセットのマッピングの単位はリソースブロックであってもよい。例えば、周波数領域において、制御リソースセットのマッピングの単位は６リソースブロックであってもよい。時間領域において、制御リソースセットのマッピングの単位はＯＦＤＭシンボルであってもよい。例えば、時間領域において、制御リソースセットのマッピングの単位は１ＯＦＤＭシンボルであってもよい。
【０１１２】
制御リソースセットの周波数領域は、上位層の信号、および／または、下りリンク制御情報に少なくとも基づき与えられてもよい。
【０１１３】
制御リソースセットの時間領域は、上位層の信号、および／または、下りリンク制御情報に少なくとも基づき与えられてもよい。
【０１１４】
ある制御リソースセットは、共通制御リソースセット（Common control resource set
）であってもよい。共通制御リソースセットは、複数の端末装置１に対して共通に設定される制御リソースセットであってもよい。共通制御リソースセットは、ＭＩＢ、ＳＩＢ、共通ＲＲＣシグナリング、および、セルＩＤの一部または全部に少なくとも基づき与えられてもよい。例えば、ＳＩＢのスケジューリングのために用いられるＰＤＣＣＨをモニタすることが設定される制御リソースセットの時間リソース、および／または、周波数リソースは、ＭＩＢに少なくとも基づき与えられてもよい。
【０１１５】
ある制御リソースセットは、専用制御リソースセット（Dedicated control resource set）であってもよい。専用制御リソースセットは、端末装置１のために専用に用いられるように設定される制御リソースセットであってもよい。専用制御リソースセットは、専用ＲＲＣシグナリングに少なくとも基づき与えられてもよい。
【０１１６】
端末装置１によって監視されるＰＤＣＣＨの候補のセットは、探索領域の観点から定義されてもよい。つまり、端末装置１によって監視されるＰＤＣＣＨ候補のセットは、探索領域によって与えられてもよい。
【０１１７】
探索領域は、１または複数の集約レベル（Aggregation level）のＰＤＣＣＨ候補を１
または複数含んで構成されてもよい。ＰＤＣＣＨ候補の集約レベルは、該ＰＤＣＣＨを構成するＣＣＥの個数を示してもよい。
【０１１８】
端末装置１は、ＤＲＸ（Discontinuous reception）が設定されないスロットにおいて
少なくとも１または複数の探索領域を監視してもよい。ＤＲＸは、上位層のパラメータに少なくとも基づき与えられてもよい。端末装置１は、ＤＲＸが設定されないスロットにおいて少なくとも１または複数の探索領域セット（Search space set）を監視してもよい。
【０１１９】
探索領域セットは、１または複数の探索領域を少なくとも含んで構成されてもよい。探索領域セットのタイプは、タイプ０ＰＤＣＣＨ共通探索領域（common search space）、
タイプ０ａＰＤＣＣＨ共通探索領域、タイプ１ＰＤＣＣＨ共通探索領域、タイプ２ＰＤＣＣＨ共通探索領域、タイプ３ＰＤＣＣＨ共通探索領域、および／または、ＵＥ個別ＰＤＣＣＨ探索領域のいずれかであってもよい。
【０１２０】
タイプ０ＰＤＣＣＨ共通探索領域、タイプ０ａＰＤＣＣＨ共通探索領域、タイプ１ＰＤＣＣＨ共通探索領域、タイプ２ＰＤＣＣＨ共通探索領域、および、タイプ３ＰＤＣＣＨ共通探索領域は、ＣＳＳ（Common Search Space）とも呼称される。ＵＥ個別ＰＤＣＣＨ探
索領域は、ＵＳＳ（UE specific Search Space）とも呼称される。
【０１２１】
探索領域セットのそれぞれは、１つの制御リソースセットに関連してもよい。探索領域セットのそれぞれは、１つの制御リソースセットに少なくとも含まれてもよい。探索領域セットのそれぞれに対して、該探索領域セットに関連する制御リソースセットのインデックスが与えられてもよい。
【０１２２】
探索領域セットのそれぞれに対して、探索領域セットの監視間隔（Monitoring periodicity）が設定されてもよい。探索領域セットの監視間隔は、端末装置１によって探索領域セットの監視が行われるスロットの間隔を少なくとも示してもよい。探索領域セットの監視間隔を少なくとも示す上位層のパラメータは、探索領域セットごとに与えられてもよい。
【０１２３】
探索領域セットのそれぞれに対して、探索領域セットの監視オフセット（Monitoring offset）が設定されてもよい。探索領域セットの監視オフセットは、端末装置１によって
探索領域セットの監視が行われるスロットのインデックスの基準インデックス（例えば、スロット＃０）からのずれ（offset）を少なくとも示してもよい。探索領域セットの監視オフセットを少なくとも示す上位層のパラメータは、探索領域セットごとに与えられてもよい。
【０１２４】
探索領域セットのそれぞれに対して、探索領域セットの監視パターン（Monitoring pattern）が設定されてもよい。探索領域セットの監視パターンは、監視が行われる探索領域セットのための先頭のＯＦＤＭシンボルを示してもよい。探索領域セットの監視パターンは、１または複数のスロットにおける該先頭のＯＦＤＭシンボルを示すビットマップにより与えられてもよい。探索領域セットの監視パターンを少なくとも示す上位層のパラメータは、探索領域セットごとに与えられてもよい。
【０１２５】
探索領域セットの監視機会（Monitoring occasion）は、探索領域セットの監視間隔、
探索領域セットの監視オフセット、探索領域セットの監視パターン、および／または、ＤＲＸの設定の一部または全部に少なくとも基づき与えられてもよい。
【０１２６】
図５は、本実施形態の一態様に係る探索領域セットの監視機会の一例を示す図である。図５において、プライマリセル３０１に探索領域セット９１、および、探索領域セット９
２が設定され、セカンダリセル３０２に探索領域セット９３が設定され、セカンダリセル３０３に探索領域セット９４が設定されている。
【０１２７】
図５において、格子線で示されるブロックは探索領域セット９１を示し、右上がり対角線で示されるブロックは探索領域セット９２を示し、左上がり対角線で示されるブロックは探索領域セット９３を示し、横線で示されるブロックは探索領域セット９４を示している。
【０１２８】
探索領域セット９１の監視間隔は1スロットにセットされ、探索領域セット９１の監視
オフセットは０スロットにセットされ、探索領域セット９１の監視パターンは、[１，０
，０，０，０，０，０，１，０，０，０，０，０，０]にセットされている。つまり、探
索領域セット９１の監視機会はスロットのそれぞれにおける先頭のＯＦＤＭシンボル（ＯＦＤＭシンボル＃０）および８番目のＯＦＤＭシンボル（ＯＦＤＭシンボル＃７）である。
【０１２９】
探索領域セット９２の監視間隔は２スロットにセットされ、探索領域セット９２の監視オフセットは０スロットにセットされ、探索領域セット９２の監視パターンは、[１，０
，０，０，０，０，０，０，０，０，０，０，０，０]にセットされている。つまり、探
索領域セット９２の監視機会は偶数スロットのそれぞれにおける先頭のＯＦＤＭシンボル（ＯＦＤＭシンボル＃０）である。
【０１３０】
探索領域セット９３の監視間隔は２スロットにセットされ、探索領域セット９３の監視オフセットは０スロットにセットされ、探索領域セット９３の監視パターンは、[０，０
，０，０，０，０，０，１，０，０，０，０，０，０]にセットされている。つまり、探
索領域セット９３の監視機会は偶数スロットのそれぞれにおける８番目のＯＦＤＭシンボル（ＯＦＤＭシンボル＃７）である。
【０１３１】
探索領域セット９４の監視間隔は２スロットにセットされ、探索領域セット９４の監視オフセットは１スロットにセットされ、探索領域セット９４の監視パターンは、[１，０
，０，０，０，０，０，０，０，０，０，０，０，０]にセットされている。つまり、探
索領域セット９４の監視機会は奇数スロットのそれぞれにおける先頭のＯＦＤＭシンボル（ＯＦＤＭシンボル＃０）である。
【０１３２】
タイプ０ＰＤＣＣＨ共通探索領域は、ＳＩ−ＲＮＴＩ（System Information-Radio Network Temporary Identifier）によってスクランブルされたＣＲＣ（Cyclic Redundancy Check）系列を伴うＤＣＩフォーマットのために少なくとも用いられてもよい。タイプ０ＰＤＣＣＨ共通探索領域の設定は、上位層パラメータＰＤＣＣＨ−ＣｏｎｆｉｇＳＩＢ１のＬＳＢ（Least Significant Bits）の４ビットに少なくとも基づき与えられてもよい。上位層パラメータＰＤＣＣＨ−ＣｏｎｆｉｇＳＩＢ１は、ＭＩＢに含まれてもよい。タイプ０ＰＤＣＣＨ共通探索領域の設定は、上位層のパラメータＳｅａｒｃｈＳｐａｃｅＺｅｒｏに少なくとも基づき与えられてもよい。上位層のパラメータＳｅａｒｃｈＳｐａｃｅＺｅｒｏのビットの解釈は、上位層パラメータＰＤＣＣＨ−ＣｏｎｆｉｇＳＩＢ１のＬＳＢの４ビットの解釈と同様であってもよい。タイプ０ＰＤＣＣＨ共通探索領域の設定は、上位層のパラメータＳｅａｒｃｈＳｐａｃｅＳＩＢ１に少なくとも基づき与えられてもよい。上位層のパラメータＳｅａｒｃｈＳｐａｃｅＳＩＢ１は、上位層のパラメータＰＤＣＣＨ−ＣｏｎｆｉｇＣｏｍｍｏｎに含まれてもよい。タイプ０ＰＤＣＣＨ共通探索領域で検出されるＰＤＣＣＨは、ＳＩＢ１を含んで送信されるＰＤＳＣＨのスケジューリングのために少なくとも用いられてもよい。ＳＩＢ１は、ＳＩＢの一種である。ＳＩＢ１は、ＳＩＢ１以外のＳＩＢのスケジューリング情報を含んでもよい。端末装置１は、ＥＵＴＲＡにおいて上位層のパラメータＰＤＣＣＨ−ＣｏｎｆｉｇＣｏｍｍｏｎを受信してもよい。端
末装置１は、ＭＣＧにおいて上位層のパラメータＰＤＣＣＨ−ＣｏｎｆｉｇＣｏｍｍｏｎを受信してもよい。
【０１３３】
タイプ０ａＰＤＣＣＨ共通探索領域は、ＳＩ−ＲＮＴＩ（System Information-Radio Network Temporary Identifier）によってスクランブルされたＣＲＣ（Cyclic Redundancy
Check）系列を伴うＤＣＩフォーマットのために少なくとも用いられてもよい。タイプ０ａＰＤＣＣＨ共通探索領域の設定は、上位層パラメータＳｅａｒｃｈＳｐａｃｅＯｔｈｅｒＳｙｓｔｅｍＩｎｆｏｒｍａｔｉｏｎに少なくとも基づき与えられてもよい。上位層パラメータＳｅａｒｃｈＳｐａｃｅＯｔｈｅｒＳｙｓｔｅｍＩｎｆｏｒｍａｔｉｏｎは、ＳＩＢ１に含まれてもよい。上位層のパラメータＳｅａｒｃｈＳｐａｃｅＯｔｈｅｒＳｙｓｔｅｍＩｎｆｏｒｍａｔｉｏｎは、上位層のパラメータＰＤＣＣＨ−ＣｏｎｆｉｇＣｏｍｍｏｎに含まれてもよい。タイプ０ＰＤＣＣＨ共通探索領域で検出されるＰＤＣＣＨは、ＳＩＢ１以外のＳＩＢを含んで送信されるＰＤＳＣＨのスケジューリングのために少なくとも用いられてもよい。
【０１３４】
タイプ１ＰＤＣＣＨ共通探索領域は、ＲＡ−ＲＮＴＩ（Random Access-Radio Network Temporary Identifier）によってスクランブルされたＣＲＣ系列、および／または、ＴＣ−ＲＮＴＩ（Temporary Common-Radio Network Temporary Identifier）によってスクラ
ンブルされたＣＲＣ系列を伴うＤＣＩフォーマットのために少なくとも用いられてもよい。ＲＡ−ＲＮＴＩは、端末装置１によって送信されるランダムアクセスプリアンブルの時間／周波数リソースに少なくとも基づき与えられてもよい。ＴＣ−ＲＮＴＩは、ＲＡ−ＲＮＴＩによってスクランブルされたＣＲＣ系列を伴うＤＣＩフォーマットによりスケジューリングされるＰＤＳＣＨ（メッセージ２、または、ランダムアクセスレスポンスとも呼称される）により与えられてもよい。タイプ１ＰＤＣＣＨ共通探索領域は、上位層のパラメータｒａ−ＳｅａｒｃｈＳｐａｃｅに少なくとも基づき与えられてもよい。上位層のパラメータｒａ−ＳｅａｒｃｈＳｐａｃｅは、ＳＩＢ１に含まれてもよい。上位層のパラメータｒａ−ＳｅａｒｃｈＳｐａｃｅは、上位層のパラメータＰＤＣＣＨ−ＣｏｎｆｉｇＣｏｍｍｏｎに含まれてもよい。
【０１３５】
タイプ２ＰＤＣＣＨ共通探索領域は、Ｐ−ＲＮＴＩ（Paging- Radio Network Temporary Identifier）によってスクランブルされたＣＲＣ系列を伴うＤＣＩフォーマットのために用いられてもよい。Ｐ−ＲＮＴＩは、ＳＩＢの変更を通知する情報を含むＤＣＩフォーマットの送信のために少なくとも用いられてもよい。タイプ２ＰＤＣＣＨ共通探索領域は、上位層のパラメータＰａｇｉｎｇＳｅａｒｃｈＳｐａｃｅに少なくとも基づき与えられてもよい。上位層のパラメータＰａｇｉｎｇＳｅａｒｃｈＳｐａｃｅは、ＳＩＢ１に含まれてもよい。上位層のパラメータＰａｇｉｎｇＳｅａｒｃｈＳｐａｃｅは、上位層のパラメータＰＤＣＣＨ−ＣｏｎｆｉｇＣｏｍｍｏｎに含まれてもよい。
【０１３６】
タイプ３ＰＤＣＣＨ共通探索領域は、Ｃ−ＲＮＴＩ（Cell-Radio Network Temporary Identifier）によってスクランブルされたＣＲＣ系列を伴うＤＣＩフォーマットのために
用いられてもよい。Ｃ−ＲＮＴＩは、ＴＣ−ＲＮＴＩによってスクランブルされたＣＲＣ系列を伴うＤＣＩフォーマットによりスケジューリングされるＰＤＳＣＨ（メッセージ４、または、コンテンションレゾリューションとも呼称される）に少なくとも基づき与えられてもよい。タイプ３ＰＤＣＣＨ共通探索領域は、上位層のパラメータＳｅａｒｃｈＳｐａｃｅＴｙｐｅがｃｏｍｍｏｎにセットされている場合に与えられる探索領域セットであってもよい。
【０１３７】
ＵＥ個別ＰＤＣＣＨ探索領域は、Ｃ−ＲＮＴＩによってスクランブルされたＣＲＣ系列を伴うＤＣＩフォーマットのために少なくとも用いられてもよい。
【０１３８】
端末装置１にＣ−ＲＮＴＩが与えられた場合、タイプ０ＰＤＣＣＨ共通探索領域、タイプ０ａＰＤＣＣＨ共通探索領域、タイプ１ＰＤＣＣＨ共通探索領域、および／または、タイプ２ＰＤＣＣＨ共通探索領域は、Ｃ−ＲＮＴＩでスクランブルされたＣＲＣ系列を伴うＤＣＩフォーマットのために少なくとも用いられてもよい。
【０１３９】
端末装置１にＣ−ＲＮＴＩが与えられた場合、上位層パラメータＰＤＣＣＨ−ＣｏｎｆｉｇＳＩＢ１、上位層のパラメータＳｅａｒｃｈＳｐａｃｅＺｅｒｏ、上位層のパラメータＳｅａｒｃｈＳｐａｃｅＳＩＢ１、上位層のパラメータＳｅａｒｃｈＳｐａｃｅＯｔｈｅｒＳｙｓｔｅｍＩｎｆｏｒｍａｔｉｏｎ、上位層のパラメータｒａ−ＳｅａｒｃｈＳｐａｃｅ、または、上位層パラメータＰａｇｉｎｇＳｅａｒｃｈＳｐａｃｅのいずれかに少なくとも基づき与えられる探索領域セットは、Ｃ−ＲＮＴＩでスクランブルされたＣＲＣ系列を伴うＤＣＩフォーマットのために少なくとも用いられてもよい。
【０１４０】
共通制御リソースセットは、ＣＳＳおよびＵＳＳの一方または両方を少なくとも含んでもよい。専用制御リソースセットは、ＣＳＳおよびＵＳＳの一方または両方を少なくとも含んでもよい。
【０１４１】
探索領域の物理リソースは制御チャネルの構成単位（CCE:Control Channel Element）
により構成される。ＣＣＥは６つのリソース要素グループ（REG:Resource Element Group）により構成される。ＲＥＧは１つのＰＲＢ（Physical Resource Block）の１ＯＦＤＭ
シンボルにより構成されてもよい。つまり、ＲＥＧは１２個のリソースエレメント（RE:Resource Element）を含んで構成されてもよい。ＰＲＢは、単にＲＢ（Ｒｅｓｏｕｒｃｅ
Ｂｌｏｃｋ：リソースブロック）とも呼称される。
【０１４２】
ＰＤＳＣＨは、トランスポートブロックを送信するために少なくとも用いられる。ＰＤＳＣＨは、ランダムアクセスメッセージ２（ランダムアクセスレスポンス）を送信するために少なくとも用いられてもよい。ＰＤＳＣＨは、初期アクセスのために用いられるパラメータを含むシステム情報を送信するために少なくとも用いられてもよい。
【０１４３】
図１において、下りリンクの無線通信では、以下の下りリンク物理シグナルが用いられる。下りリンク物理シグナルは、上位層から出力された情報を送信するために使用されなくてもよいが、物理層によって使用される。
・同期信号（SS:Synchronization signal）
・ＤＬ  ＤＭＲＳ（DownLink DeModulation Reference Signal）
・ＣＳＩ−ＲＳ（Channel State Information-Reference Signal）
・ＤＬ  ＰＴＲＳ（DownLink Phase Tracking Reference Signal）
・ＴＲＳ（Tracking Reference Signal）
【０１４４】
同期信号は、端末装置１が下りリンクの周波数領域、および／または、時間領域の同期をとるために用いられる。同期信号は、ＰＳＳ（Primary Synchronization Signal）、および、ＳＳＳ（Secondary Synchronization Signal）を含む。
【０１４５】
ＳＳブロック（ＳＳ／ＰＢＣＨブロック）は、ＰＳＳ、ＳＳＳ、および、ＰＢＣＨの一部または全部を少なくとも含んで構成される。ＳＳブロックに含まれるＰＳＳ、ＳＳＳ、および、ＰＢＣＨの一部または全部のそれぞれのアンテナポートは同一であってもよい。ＳＳブロックに含まれるＰＳＳ、ＳＳＳ、およびＰＢＣＨの一部または全部は、連続するＯＦＤＭシンボルにマップされてもよい。ＳＳブロックに含まれるＰＳＳ、ＳＳＳ、および、ＰＢＣＨの一部または全部のそれぞれのＣＰ設定は同一であってもよい。ＳＳブロックに含まれるＰＳＳ、ＳＳＳ、および、ＰＢＣＨの一部または全部のそれぞれのサブキャリア間隔の設定μは同一であってもよい。
【０１４６】
ＤＬ  ＤＭＲＳは、ＰＢＣＨ、ＰＤＣＣＨ、および／または、ＰＤＳＣＨの送信に関連する。ＤＬ  ＤＭＲＳは、ＰＢＣＨ、ＰＤＣＣＨ、および／または、ＰＤＳＣＨに多重される。端末装置１は、ＰＢＣＨ、ＰＤＣＣＨ、または、ＰＤＳＣＨの伝搬路補正を行なうために該ＰＢＣＨ、該ＰＤＣＣＨ、または、該ＰＤＳＣＨと対応するＤＬ  ＤＭＲＳを使用してよい。以下、ＰＢＣＨと、該ＰＢＣＨと関連するＤＬ  ＤＭＲＳが共に送信されることは、ＰＢＣＨが送信されると呼称される。また、ＰＤＣＣＨと、該ＰＤＣＣＨと関連するＤＬ  ＤＭＲＳが共に送信されることは、単にＰＤＣＣＨが送信されると呼称される。また、ＰＤＳＣＨと、該ＰＤＳＣＨと関連するＤＬ  ＤＭＲＳが共に送信されることは、単にＰＤＳＣＨが送信されると呼称される。ＰＢＣＨと関連するＤＬ  ＤＭＲＳは、ＰＢＣＨ用ＤＬ  ＤＭＲＳとも呼称される。ＰＤＳＣＨと関連するＤＬ  ＤＭＲＳは、ＰＤＳＣＨ用ＤＬ  ＤＭＲＳとも呼称される。ＰＤＣＣＨと関連するＤＬ  ＤＭＲＳは、ＰＤＣＣＨと関連するＤＬ  ＤＭＲＳとも呼称される。
【０１４７】
ＤＬ  ＤＭＲＳは、端末装置１に個別に設定される参照信号であってもよい。ＤＬ  ＤＭＲＳの系列は、端末装置１に個別に設定されるパラメータに少なくとも基づいて与えられてもよい。ＤＬ  ＤＭＲＳの系列は、ＵＥ固有の値（例えば、Ｃ−ＲＮＴＩ等）に少なくとも基づき与えられてもよい。ＤＬ  ＤＭＲＳは、ＰＤＣＣＨ、および／または、ＰＤＳＣＨのために個別に送信されてもよい。
【０１４８】
ＣＳＩ−ＲＳは、チャネル状態情報を算出するために少なくとも用いられる信号であってもよい。端末装置によって想定されるＣＳＩ−ＲＳのパターンは、少なくとも上位層のパラメータにより与えられてもよい。
【０１４９】
ＰＴＲＳは、位相雑音の補償のために少なくとも用いられる信号であってもよい。端末装置によって想定されるＰＴＲＳのパターンは、上位層のパラメータ、および／または、ＤＣＩに少なくとも基づき与えられてもよい。
【０１５０】
ＤＬ  ＰＴＲＳは、１または複数のＤＬ  ＤＭＲＳに用いられるアンテナポートを少なくとも含むＤＬ  ＤＭＲＳグループに関連してもよい。ＤＬ  ＰＴＲＳとＤＬ  ＤＭＲＳグループが関連することは、ＤＬ  ＰＴＲＳのアンテナポートとＤＬ  ＤＭＲＳグループに含まれるアンテナポートの一部または全部が少なくともＱＣＬであることであってもよい。ＤＬ  ＤＭＲＳグループは、ＤＬ  ＤＭＲＳグループに含まれるＤＬ  ＤＭＲＳにおいて最も小さいインデックスのアンテナポートに少なくとも基づき識別されてもよい。
【０１５１】
ＴＲＳは、時間、および／または、周波数の同期のために少なくとも用いられる信号であってもよい。端末装置によって想定されるＴＲＳのパターンは、上位層のパラメータ、および／または、ＤＣＩに少なくとも基づき与えられてもよい。
【０１５２】
下りリンク物理チャネルおよび下りリンク物理シグナルは、下りリンク信号とも呼称される。上りリンク物理チャネルおよび上りリンク物理シグナルは、上りリンク信号とも呼称される。下りリンク信号および上りリンク信号はまとめて物理信号とも呼称される。下りリンク信号および上りリンク信号はまとめて信号とも呼称される。下りリンク物理チャネルおよび上りリンク物理チャネルを総称して、物理チャネルと称する。下りリンク物理シグナルおよび上りリンク物理シグナルを総称して、物理シグナルと称する。
【０１５３】
ＢＣＨ（Broadcast CHannel）、ＵＬ−ＳＣＨ（Uplink-Shared CHannel）およびＤＬ−ＳＣＨ（Downlink-Shared CHannel）は、トランスポートチャネルである。媒体アクセス
制御（MAC:Medium Access Control）層で用いられるチャネルはトランスポートチャネル
と呼称される。ＭＡＣ層で用いられるトランスポートチャネルの単位は、トランスポート
ブロック（TB）またはＭＡＣ  ＰＤＵとも呼称される。ＭＡＣ層においてトランスポートブロック毎にＨＡＲＱ（Hybrid Automatic Repeat reQuest）の制御が行なわれる。トラ
ンスポートブロックは、ＭＡＣ層が物理層に渡す（deliver）データの単位である。物理
層において、トランスポートブロックはコードワードにマップされ、コードワード毎に変調処理が行なわれる。
【０１５４】
基地局装置３と端末装置１は、上位層（higher layer）において上位層の信号をやり取り（送受信）する。例えば、基地局装置３と端末装置１は、無線リソース制御（RRC:Radio Resource Control）層において、ＲＲＣシグナリング（RRC message:Radio Resource Control message、RRC information:Radio Resource Control information）を送受信してもよい。また、基地局装置３と端末装置１は、ＭＡＣ層において、ＭＡＣ  ＣＥ（Control Element）を送受信してもよい。ここで、ＲＲＣシグナリング、および／または、ＭＡ
Ｃ  ＣＥを、上位層の信号（higher layer signaling）とも称する。
【０１５５】
ＰＵＳＣＨおよびＰＤＳＣＨは、ＲＲＣシグナリング、および／または、ＭＡＣ  ＣＥを送信するために少なくとも用いられてよい。ここで、基地局装置３よりＰＤＳＣＨで送信されるＲＲＣシグナリングは、サービングセル内における複数の端末装置１に対して共通のシグナリングであってもよい。サービングセル内における複数の端末装置１に対して共通のシグナリングは、共通ＲＲＣシグナリングとも呼称される。基地局装置３からＰＤＳＣＨで送信されるＲＲＣシグナリングは、ある端末装置１に対して専用のシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも呼称される）であってもよい。端末装置１に対して専用のシグナリングは、専用ＲＲＣシグナリングとも呼称される。サービングセルにおいて固有な上位層のパラメータは、サービングセル内における複数の端末装置１に対して共通のシグナリング、または、ある端末装置１に対して専用のシグナリングを用いて送信されてもよい。ＵＥ固有な上位層のパラメータは、ある端末装置１に対して専用のシグナリングを用いて送信されてもよい。
【０１５６】
ＢＣＣＨ（Broadcast Control CHannel）、ＣＣＣＨ（Common Control CHannel）、お
よび、ＤＣＣＨ（Dedicated Control CHannel）は、ロジカルチャネルである。例えば、
ＢＣＣＨは、ＭＩＢを送信するために用いられる上位層のチャネルである。また、ＣＣＣＨ（Common Control CHannel）は、複数の端末装置１において共通な情報を送信するために用いられる上位層のチャネルである。ここで、ＣＣＣＨは、例えば、ＲＲＣ接続されていない端末装置１のために用いられてもよい。また、ＤＣＣＨ（Dedicated Control CHannel）は、端末装置１に専用の制御情報（dedicated control information）を送信するために少なくとも用いられる上位層のチャネルである。ここで、ＤＣＣＨは、例えば、ＲＲＣ接続されている端末装置１のために用いられてもよい。
【０１５７】
ロジカルチャネルにおけるＢＣＣＨは、トランスポートチャネルにおいてＢＣＨ、ＤＬ−ＳＣＨ、または、ＵＬ−ＳＣＨにマップされてもよい。ロジカルチャネルにおけるＣＣＣＨは、トランスポートチャネルにおいてＤＬ−ＳＣＨまたはＵＬ−ＳＣＨにマップされてもよい。ロジカルチャネルにおけるＤＣＣＨは、トランスポートチャネルにおいてＤＬ−ＳＣＨまたはＵＬ−ＳＣＨにマップされてもよい。
【０１５８】
トランスポートチャネルにおけるＵＬ−ＳＣＨは、物理チャネルにおいてＰＵＳＣＨにマップされてもよい。トランスポートチャネルにおけるＤＬ−ＳＣＨは、物理チャネルにおいてＰＤＳＣＨにマップされてもよい。トランスポートチャネルにおけるＢＣＨは、物理チャネルにおいてＰＢＣＨにマップされてもよい。
【０１５９】
１または複数のＨＡＲＱ−ＡＣＫ情報は、コードブックに多重されてもよい。ＨＡＲＱ
−ＡＣＫ情報のコードブックは、ＰＵＣＣＨで送信されてもよい。ＨＡＲＱ−ＡＣＫのコードブックは、ＰＵＳＣＨで送信されてもよい。
【０１６０】
あるスロットにおいてＰＵＣＣＨで送信されるＨＡＲＱ−ＡＣＫ情報の送信のために、ＰＤＣＣＨの監視機会のセット（アソシエーションセット）が与えられてもよい。ＰＤＣＣＨの監視機会のセットは、Ｍ個のＰＤＣＣＨの監視機会を含む。ＰＤＣＣＨの監視機会のセットは、タイミングＫ０、および／または、タイミングＫ１の一方または両方に少なくとも基づき与えられてもよい。ＰＤＣＣＨの監視機会のセットは、タイミングＫ０の候補値のセット、および／または、タイミングＫ１の候補値のセットの一部または全部に少なくとも基づき与えられてもよい。タイミングＫ０の候補値のセットは、上位層のパラメータに少なくとも基づき与えられてもよい。タイミングＫ１の候補値のセットは、上位層のパラメータに少なくとも基づき与えられてもよい。
【０１６１】
図６は、本実施形態の一態様に係る探索領域セットの監視機会（Monitoring occasion for search space set）と、ＰＤＣＣＨの監視機会（Monitoring occasion for PDCCH）
の対応例を示す図である。図６において、プライマリセルにおける探索領域セットの監視機会はスロットの先頭のＯＦＤＭシンボルであり、セカンダリセルにおける探索領域セットの監視機会はスロットの先頭のＯＦＤＭシンボル、および、スロットの中間のＯＦＤＭシンボル（例えば、ＯＦＤＭシンボル＃７）である。図６において、ＰＤＣＣＨの監視機会は、スロット＃ｎの先頭のＯＦＤＭシンボルとスロット＃ｎの中間のＯＦＤＭシンボル、および、スロット＃ｎ＋１の先頭のＯＦＤＭシンボルとスロット＃ｎ＋１の中間のＯＦＤＭシンボルに対応する。つまり、ＰＤＣＣＨの監視機会は、１または複数のサービングセルの少なくともいずれかに探索領域セットの監視機会が設定される機会（occasion）として定義されてもよい。また、ＰＤＣＣＨの監視機会は、１または複数のサービングセルの少なくともいずれかに探索領域セットの監視機会が設定されるＯＦＤＭシンボルのインデックスに対応してもよい。
【０１６２】
スロットにおいて、あるＯＦＤＭシンボルインデックスから開始される探索領域セットの監視機会は、該あるＯＦＤＭシンボルインデックスから開始されるＰＤＣＣＨの監視機会に対応してもよい。あるＯＦＤＭシンボルインデックスから開始されるＰＤＣＣＨの監視機会は、あるＯＦＤＭシンボルインデックスから開始される探索領域セットの監視機会のそれぞれに対応してもよい。
【０１６３】
図７、図８、および、図９は、本実施形態の一態様に係るＨＡＲＱ−ＡＣＫ情報のコードブック（ＨＡＲＱ−ＡＣＫコードブック）の構成の手順の一例を示す図である。図７、図８、および、図９の＜ＡＸ＞は、ステップＡＸとも呼称される。図７、図８、および、図９において、“Ａ＝Ｂ”は、ＡがＢにセットされることであってもよい。図７、図８、および、図９において、“Ａ＝Ｂ”は、ＡにＢが入力されることであってもよい。
【０１６４】
ＨＡＲＱ−ＡＣＫ情報のコードブックは、ステップＡ１からステップＡ４６の一部または全部に少なくとも基づき与えられてもよい。
【０１６５】
ＨＡＲＱ−ＡＣＫ情報のコードブックは、ＰＤＣＣＨの監視機会のセット、ＵＬ  ＤＡＩフィールドの値、カウンターＤＡＩフィールドの値、および／または、ＤＡＩフィールドの一部または全部に少なくとも基づき与えられてもよい。
【０１６６】
ＨＡＲＱ−ＡＣＫ情報のコードブックは、ＰＤＣＣＨの監視機会のセット、ＵＬ  ＤＡＩ、カウンターＤＡＩ、および／または、トータルＤＡＩの一部または全部に少なくとも基づき与えられてもよい。
【０１６７】
ステップＡ１において、サービングセルインデックスｃが０にセットされる。サービングセルインデックスは、サービングセルごとに上位層のパラメータに少なくとも基づき与えられてもよい。
【０１６８】
ステップＡ２において、ｍ＝０にセットされる。ｍは、ＤＣＩフォーマット１＿０、または、ＤＣＩフォーマット１＿１を含むＰＤＣＣＨの監視機会のインデックスを示してもよい。
【０１６９】
ステップＡ３において、ｊが０にセットされてもよい。
【０１７０】
ステップＡ４において、Ｖｔｅｍｐが０にセットされてもよい。
【０１７１】
ステップＡ５において、Ｖｔｅｍｐ２が０にセットされてもよい。
【０１７２】
ステップＡ６において、Ｖｓ＝φにセットされてもよい。φは、空集合を示す。
【０１７３】
ステップＡ７において、ＮＤＬｃｅｌｌｓが、サービングセルの数にセットされてもよい。該サービングセルの数は、端末装置１に設定されるサービングセルの数であってもよい。
【０１７４】
ステップＡ８において、ＭはＰＤＣＣＨの監視機会の数にセットされてもよい。
【０１７５】
ステップＡ９において、第１の評価式ｍ＜Ｍが評価される。該第１の評価式が真（true）である場合に、ステップＡ１０が実行されてもよい。該第１の評価式が偽（false）で
ある場合に、ステップＡ３４が実行されてもよい。
【０１７６】
ステップＡ１０において、第２の評価式ｃ＜ＮＤＬｃｅｌｌｓが評価される。該第２の評価式が真である場合に、ステップＡ１１が実行されてもよい。該第２の評価式が偽である場合に、ステップＡ３３が実行されてもよい。
【０１７７】
ステップＡ１１において、サービングセルｃにおけるＰＤＣＣＨの監視機会ｍにおいて検出されるＤＣＩフォーマットに対して所定の条件１１０００が満たされる場合、ステップＡ１２が実行されてもよい。ステップＡ１１において、サービングセルｃにおけるＰＤＣＣＨの監視機会ｍにおいて、ＤＣＩフォーマットが検出され、かつ、該ＤＣＩフォーマットに対して所定の条件１１０００が満たされる場合、ステップＡ１２が実行されてもよい。
【０１７８】
ステップＡ１１において、サービングセルｃにおけるＰＤＣＣＨの監視機会ｍにおいて検出されるＤＣＩフォーマットに対して所定の条件１１０００が満たされない場合、ステップＡ３０が実行されてもよい。ステップＡ１１において、サービングセルｃにおけるＰＤＣＣＨの監視機会ｍにおいてＤＣＩフォーマットが検出されない場合、ステップＡ３１が実行されてもよい。ステップＡ１１において、サービングセルｃにおけるＰＤＣＣＨの監視機会ｍにおいて、ＤＣＩフォーマットが検出されない場合、ステップＡ３１が実行されてもよい。
【０１７９】
ステップＡ１２において、第３の評価式ＶＤＬＣ−ＤＡＩ，ｃ，ｍ≦Ｖｔｅｍｐが評価される。該第３の評価式が真である場合に、ステップＡ１３が実行されてもよい。該第３の評価式が偽である場合に、ステップＡ１４が実行されてもよい。
【０１８０】
ＶＤＬＣ−ＤＡＩ，ｃ，ｍは、サービングセルｃにおけるＰＤＣＣＨの監視機会ｍにお
いて検出されるＰＤＣＣＨに少なくとも基づき与えられるカウンターＤＡＩ（Downlink Assingment Index）の値である。カウンターＤＡＩは、Ｍ個のＰＤＣＣＨの監視機会にお
いて、サービングセルｃにおけるＰＤＣＣＨの監視機会ｍまでに検出されるＰＤＣＣＨの累積数（または、累積数に少なくとも関連する値であってもよい）を示す。該累積数の決定において、Ｍ個の監視機会において検出されるＰＤＣＣＨのインデックスは、サービングセルインデックスｃを第１に、ＰＤＣＣＨの監視機会ｍを第２に与えられてもよい。つまり、Ｍ個のＰＤＣＣＨの監視機会において検出されるＰＤＣＣＨのインデックスは、まずサービングセルインデックスｃの順番にマップされ、次いでＰＤＣＣＨの監視機会ｍの順番にマップされてもよい（serving cell index first, PDCCH monitoring occasion second mapping）。
【０１８１】
ステップＡ１３において、ｊがｊ＋１にセットされてもよい。
【０１８２】
ステップＡ１４は、ステップＡ１２における該第３の評価式に基づく動作の完了を示すステップであってもよい。
【０１８３】
ステップＡ１５において、ＶｔｅｍｐがＶＤＬＣ−ＤＡＩ，ｃ，ｍにセットされてもよい。
【０１８４】
ステップＡ１６において、第４の評価式ＶＤＬＴ−ＤＡＩ，ｍ＝φが評価されてもよい。該第４の評価式が真である場合に、ステップＡ１７が実行されてもよい。該第４の評価式が偽である場合に、ステップＡ１８が実行されてもよい。
【０１８５】
ＶＤＬＴ−ＤＡＩ，ｍは、サービングセルｃにおけるＰＤＣＣＨの監視機会ｍにおいて検出されるＰＤＣＣＨに少なくとも基づき与えられるトータルＤＡＩの値であってもよい。トータルＤＡＩは、Ｍ個のＰＤＣＣＨの監視機会において、ＰＤＣＣＨの監視機会ｍまでに検出されるＰＤＣＣＨの累積数（または、累積数に少なくとも関連する値であってもよい）を示してもよい。
【０１８６】
ＨＡＲＱ−ＡＣＫ情報のコードブックが、ＤＣＩフォーマット０＿１に少なくとも基づきスケジューリングされるＰＵＳＣＨに多重され、ｍ＝Ｍ−１の場合に少なくとも、ＶＤＬＴ−ＤＡＩ，ｍはＶＵＬＤＡＩに置換されてもよい。
【０１８７】
ステップＡ１７において、Ｖｔｅｍｐ２がＶＤＬＣ−ＤＡＩ，ｃ，ｍにセットされてもよい。
【０１８８】
ステップＡ１８において、ステップＡ１９が実行されてもよい。
【０１８９】
ステップＡ１９において、Ｖｔｅｍｐ２がＶＤＬＴ−ＤＡＩ，ｍにセットされてもよい。
【０１９０】
ステップＡ２０において、１）上位層のパラメータharq-ACK-SpatialBundlingPUCCHが
提供されていない、かつ、２）ＰＤＣＣＨの監視機会ｍがＤＣＩフォーマット１＿０またはＤＣＩフォーマット１＿１を含むＰＤＣＣＨの監視機会である、かつ、３）少なくとも１つのサービングセルにおける少なくとも１つのＢＷＰにおいて上位層のパラメータmaxNrofCodeWordsScheduledByDCIが設定されている場合に、ステップＡ２１が実行されてもよい。上位層のパラメータmaxNrofCodeWordsScheduledByDCIは、ＰＤＳＣＨにおける２つのトランスポートブロックの送信をサポートするか否かを示す情報であってもよい。
【０１９１】
ステップＡ２１において、ｏＡＣＫａ（８ｊ＋２（ＶＤＬＣ−ＤＡＩ，ｃ，ｍ−１））
がサービングセルｃの第１のトランスポートブロックに対応するＨＡＲＱ−ＡＣＫビットの値にセットされてもよい。ＨＡＲＱ−ＡＣＫビットの値が１であることは、ＡＣＫを示してもよい。ＨＡＲＱ−ＡＣＫビットの値が０であることは、ＮＡＣＫを示してもよい。該サービングセルｃの該第１のトランスポートブロックは、該サービングセルｃにおけるＰＤＣＣＨの監視機会ｍにおいて検出されるＰＤＣＣＨに含まれるＤＣＩフォーマットによりスケジューリングされるＰＤＳＣＨに含まれる該第１のトランスポートブロックであってもよい。
【０１９２】
ステップＡ２２において、ｏＡＣＫａ（８ｊ＋２（ＶＤＬＣ−ＤＡＩ，ｃ，ｍ−１）＋１）がサービングセルｃの第２のトランスポートブロックに対応するＨＡＲＱ−ＡＣＫビットの値にセットされてもよい。該サービングセルｃの該第２のトランスポートブロックは、該サービングセルｃにおけるＰＤＣＣＨの監視機会ｍにおいて検出されるＰＤＣＣＨに含まれるＤＣＩフォーマットによりスケジューリングされるＰＤＳＣＨに含まれる該第２のトランスポートブロックであってもよい。
【０１９３】
ＰＤＳＣＨが第１のトランスポートブロックを含み、該ＰＤＳＣＨが第２のトランスポートブロックを含まないことは、該ＰＤＳＣＨに１つのトランスポートブロックが含まれることであってもよい。
【０１９４】
ステップＡ２２において、１）サービングセルｃにおけるＰＤＣＣＨの監視機会ｍにおいて検出されるＰＤＣＣＨに含まれるＤＣＩフォーマットによりスケジューリングされるＰＤＳＣＨが第１のトランスポートブロックを含み、２）該ＰＤＳＣＨが第２のトランスポートブロックを含まない場合に、第２のトランスポートブロックのための第２のＨＡＲＱ−ＡＣＫビットをＮＡＣＫにセットし、該第２のＨＡＲＱ−ＡＣＫビットをｏＡＣＫａ（８ｊ＋２（ＶＤＬＣ−ＤＡＩ，ｃ，ｍ−１）＋１）にセットしてもよい。
【０１９５】
ステップＡ２３において、ＶｓがＶｓ∪｛８ｊ＋２（ＶＤＬＣ−ＤＡＩ，ｃ，ｍ−１），８ｊ＋２（ＶＤＬＣ−ＤＡＩ，ｃ，ｍ−１）＋１｝にセットされてもよい。Ｙ∪Ｚは、集合Ｙと集合Ｚの和集合を示してもよい。｛＊｝は、＊を含んで構成される集合であってもよい。
【０１９６】
ステップＡ２４において、１）上位層のパラメータharq-ACK-SpatialBundlingPUCCHが
提供されている、かつ、２）ＰＤＣＣＨの監視機会ｍがＤＣＩフォーマット１＿１を含むＰＤＣＣＨの監視機会である、かつ、３）少なくとも１つのサービングセルにおける少なくとも１つのＢＷＰにおいて上位層のパラメータmaxNrofCodeWordsScheduledByDCIが設定されている場合に、ステップＡ２５が実行されてもよい。
【０１９７】
ステップＡ２５において、ｏＡＣＫａ（４ｊ＋ＶＤＬＣ−ＤＡＩ，ｃ，ｍ−１）がサービングセルｃの第１のトランスポートブロックに対応する第１のＨＡＲＱ−ＡＣＫビットと、サービングセルｃの第２のトランスポートブロックに対応する第２のＨＡＲＱ−ＡＣＫビットの論理積（binary AND operation）により与えられる値にセットされてもよい。
【０１９８】
ステップＡ２６において、ＶｓがＶｓ∪｛４ｊ＋ＶＤＬＣ−ＤＡＩ，ｃ，ｍ−１｝にセットされてもよい。
【０１９９】
ステップＡ２７において、ステップＡ２０の条件、および、ステップＡ２４の条件を満たさない場合に、ステップＡ２８が実行されてもよい。ステップＡ２７において、上位層のパラメータmaxNrofCodeWordsScheduledByDCIがいずれのサービングセルのいずれのＢＷＰにおいても設定されていない場合に、ステップＡ２８が実行されてもよい。
【０２００】
ステップＡ２７において、少なくともＭ個のＰＤＣＣＨの監視機会における少なくとも１つのサービングセルにおいてＤＣＩフォーマット１＿１の監視が設定されるＰＤＣＣＨの監視機会が含まれ、および／または、少なくとも上位層のパラメータＮｕｍｂｅｒ−ＭＣＳ−ＨＡＲＱ−ＤＬ−ＤＣＩが該少なくとも１つのサービングセルにおける１つのＰＤＳＣＨにおいて２つのトランスポートブロックを受信することを示すようにセットされていない場合にステップＡ２８が実行されてもよい。
【０２０１】
ステップＡ２８において、ｏＡＣＫａ（４ｊ＋ＶＤＬＣ−ＤＡＩ，ｃ，ｍ−１）がサービングセルｃの第１のトランスポートブロックに対応する第１のＨＡＲＱ−ＡＣＫビットの値にセットされてもよい。ステップＡ２８において、ｏＡＣＫａ（４ｊ＋ＶＤＬＣ−ＤＡＩ，ｃ，ｍ−１）がサービングセルｃのＨＡＲＱ−ＡＣＫビットの値にセットされてもよい。
【０２０２】
ステップＡ２９において、ＶｓがＶｓ∪｛４ｊ＋ＶＤＬＣ−ＤＡＩ，ｃ，ｍ−１｝にセットされてもよい。
【０２０３】
ステップＡ３０は、ステップＡ１１の動作の完了を示すステップであってもよい。
【０２０４】
ステップＡ３１において、ｃがｃ＋１にセットされてもよい。
【０２０５】
ステップＡ３２において、ステップＡ１０が実行されてもよい。
【０２０６】
ステップＡ３３において、ｍがｍ＋１にセットされてもよい。
【０２０７】
ステップＡ３４において、ステップＡ９が実行されてもよい。
【０２０８】
ステップＡ３５において、第５の評価式Ｖｔｅｍｐ２＜Ｖｔｅｍｐが実行されてもよい。該第５の評価式が真である場合に、ステップＡ３６が実行されてもよい。該第５の評価式が偽である場合に、ステップＡ３７が実行されてもよい。
【０２０９】
ステップＡ３６において、ｊがｊ＋１にセットされてもよい。
【０２１０】
ステップＡ３７は、ステップＡ３５の完了を示すステップであってもよい。
【０２１１】
ステップＡ３８において、１）上位層のパラメータharq-ACK-SpatialBundlingPUCCHが
提供されていない、かつ、２）少なくとも１つのサービングセルにおける少なくとも１つのＢＷＰにおいて上位層のパラメータmaxNrofCodeWordsScheduledByDCIが設定されている場合に、ステップＡ２１が実行されてもよい。
【０２１２】
ステップＡ３９において、ＯＡＣＫが２（４ｊ＋Ｖｔｅｍｐ２）にセットされてもよい。
【０２１３】
ステップＡ４０において、少なくとも上位層のパラメータharq-ACK-SpatialBundlingPUCCHが提供されている場合に、ステップＡ４１が実行されてもよい。ステップＡ４０にお
いて、上位層のパラメータmaxNrofCodeWordsScheduledByDCIがいずれのサービングセルにおけるいずれのＢＷＰにおいても設定されていない場合に、ステップＡ４１が実行されてもよい。
【０２１４】
ステップＡ４１において、ＯＡＣＫが４ｊ＋Ｖｔｅｍｐ２にセットされてもよい。
【０２１５】
ステップＡ４２において、ｉＮ∈｛０，１，．．．，ＯＡＣＫ−１｝￥Ｖｓが満たされるｉＮに対して、ｏＡＣＫａ（ｉＮ）がＮＡＣＫの値にセットされてもよい。Ｖ￥Ｗは、集合Ｖから集合Ｗに含まれる要素が引かれた集合を示してもよい。Ｖ￥Ｗは、ＶのＷに関する差集合であってもよい。
【０２１６】
ステップＡ４３において、Ｍ個のＰＤＣＣＨの監視機会における１または複数のスロットにおける設定されるグラントによりスケジューリングされるＰＤＳＣＨ（ＳＰＳ  ＰＤＳＣＨ）が受信されるように設定され、かつ、該ＳＰＳ  ＰＤＳＣＨの送信が活性化された（activated）場合、ステップＡ４４が実行されてもよい。
【０２１７】
ステップＡ４４において、ＯＡＣＫがＯＡＣＫ＋１にセットされてもよい。ステップＡ４４において、ＯＡＣＫがＯＡＣＫ＋ＮＳＰＳにセットされてもよい。ＮＳＰＳは、Ｍ個のＰＤＣＣＨの監視機会１００１において受信されることが設定されるＳＰＳ  ＰＤＳＣＨの数であってもよい。
【０２１８】
ステップＡ４５において、ｏＡＣＫａ（ｏＡＣＫａ−１）が該ＳＰＳ  ＰＤＳＣＨに含まれるトランスポートブロックに対応するＨＡＲＱ−ＡＣＫビットの値にセットされてもよい。ステップＡ４５において、ｏＡＣＫａ（ｏＡＣＫａ−ｉＳＰＳ）が該ＳＰＳ  ＰＤＳＣＨに含まれるトランスポートブロックに対応するＨＡＲＱ−ＡＣＫビットの値にセットされてもよい。ｉＳＰＳは、ｉＳＰＳ∈｛０，１，．．．，ＮＳＰＳ−１｝の条件を満たしてもよい。ステップＡ４５において、ｏＡＣＫａ（ｏＡＣＫａ−１）が、Ｍ個のＰＤＣＣＨの監視機会において受信されることが設定される１または複数のＳＰＳ  ＰＤＳＣＨのそれぞれに含まれるトランスポートブロックに対応するＨＡＲＱ−ＡＣＫビットの論理積により与えられる値にセットされてもよい。
【０２１９】
ステップＡ４６は、ステップＡ４３の動作の完了を示すステップであってもよい。
【０２２０】
第１の評価式から第５の評価式は、評価式とも呼称される。評価式が真であることは、該評価式が満たされることであってもよい。該評価式が偽であることは、該評価式が真でないことであってもよい。該評価式が偽であることは、該評価式が満たされないことであってもよい。
【０２２１】
以下、本実施形態の一態様に係る端末装置１の構成例を説明する。
【０２２２】
図１０は、本実施形態の一態様に係る端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、
および、ベースバンド部１３の一部または全部を少なくとも含んで構成される。上位層処理部１４は、媒体アクセス制御層処理部１５、および、無線リソース制御層処理部１６の一部または全部を少なくとも含んで構成される。無線送受信部１０を送信部、受信部、または、物理層処理部とも称する。
【０２２３】
上位層処理部１４は、ユーザーの操作等により生成された上りリンクデータ（トランスポートブロック）を、無線送受信部１０に出力する。上位層処理部１４は、ＭＡＣ層、パケットデータ統合プロトコル（PDCP:Packet Data Convergence Protocol）層、無線リン
ク制御（RLC:Radio Link Control）層、ＲＲＣ層の処理を行なう。
【０２２４】
上位層処理部１４が備える媒体アクセス制御層処理部１５は、ＭＡＣ層の処理を行う。
【０２２５】
上位層処理部１４が備える無線リソース制御層処理部１６は、ＲＲＣ層の処理を行う。
無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。該パラメータは上位層のパラメータであってもよい。
【０２２６】
無線送受信部１０は、変調、復調、符号化、復号化などの物理層の処理を行う。無線送受信部１０は、受信した物理信号を、分離、復調、復号し、復号した情報を上位層処理部１４に出力する。無線送受信部１０は、データを変調、符号化、ベースバンド信号生成（時間連続信号への変換）することによって物理信号を生成し、基地局装置３に送信する。
【０２２７】
ＲＦ部１２は、アンテナ部１１を介して受信した信号を、直交復調によりベースバンド信号に変換し（ダウンコンバート：ｄｏｗｎ  ｃｏｖｅｒｔ）、不要な周波数成分を除去する。ＲＦ部１２は、処理をしたアナログ信号をベースバンド部に出力する。
【０２２８】
ベースバンド部１３は、ＲＦ部１２から入力されたアナログ信号をディジタル信号に変換する。ベースバンド部１３は、変換したディジタル信号からＣＰ（Cyclic Prefix）に
相当する部分を除去し、ＣＰを除去した信号に対して高速フーリエ変換（FFT:Fast Fourier Transform）を行い、周波数領域の信号を抽出する。
【０２２９】
ベースバンド部１３は、データを逆高速フーリエ変換（IFFT:Inverse Fast Fourier Transform）して、ＯＦＤＭシンボルを生成し、生成されたＯＦＤＭシンボルにＣＰを付加
し、ベースバンドのディジタル信号を生成し、ベースバンドのディジタル信号をアナログ信号に変換する。ベースバンド部１３は、変換したアナログ信号をＲＦ部１２に出力する。
【０２３０】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０２３１】
以下、本実施形態の一態様に係る基地局装置３の構成例を説明する。
【０２３２】
図１１は、本実施形態の一態様に係る基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０２３３】
上位層処理部３４は、ＭＡＣ層、ＰＤＣＰ層、ＲＬＣ層、ＲＲＣ層の処理を行なう。
【０２３４】
上位層処理部３４が備える媒体アクセス制御層処理部３５は、ＭＡＣ層の処理を行う。
【０２３５】
上位層処理部３４が備える無線リソース制御層処理部３６は、ＲＲＣ層の処理を行う。無線リソース制御層処理部３６は、ＰＤＳＣＨに配置される下りリンクデータ（トランスポートブロック）、システム情報、ＲＲＣメッセージ、ＭＡＣ  ＣＥなどを生成し、又は上位ノードから取得し、無線送受信部３０に出力する。また、無線リソース制御層処理部３６は、端末装置１各々の各種設定情報／パラメータの管理をする。無線リソース制御層
処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０２３６】
無線送受信部３０の機能は、無線送受信部１０と同様であるため説明を省略する。
【０２３７】
端末装置１が備える符号１０から符号１６が付された部のそれぞれは、回路として構成されてもよい。基地局装置３が備える符号３０から符号３６が付された部のそれぞれは、回路として構成されてもよい。端末装置１が備える符号１０から符号１６が付された部の一部または全部は、メモリと該メモリに接続されるプロセッサとして構成されてもよい。基地局装置３が備える符号３０から符号３６が付された部の一部または全部は、メモリと該メモリに接続されるプロセッサとして構成されてもよい。本実施形態に係る種々の態様（動作、処理）は、端末装置１および／または基地局装置３に含まれるメモリおよび該メモリに接続されるプロセッサにおいて実現されて（行われて）もよい。
【０２３８】
以下、種々の態様例を説明する。
【０２３９】
本実施形態の種々の態様において、端末装置１は物理信号の送信に先立ってキャリアセンス（Carrier sense）を実施してもよい。また、基地局装置３は物理信号の送信に先立
ってキャリアセンスを実施してもよい。キャリアセンスは、無線チャネル（Radio channel）においてエネルギー検出（Energy detection）を実施することであってもよい。物理
信号の送信に先立って実施されるキャリアセンスに基づき、該物理信号の送信可否が与えられてもよい。例えば、物理信号の送信に先立って実施されるキャリアセンスによって検出されるエネルギー量が所定のしきい値よりも大きい場合に、該物理チャネルの送信が行われなくてもよい、または、送信が不可と判断されてもよい。また、物理信号の送信に先立って実施されるキャリアセンスによって検出されるエネルギー量が所定のしきい値よりも小さい場合に、該物理チャネルの送信が行われてもよい、または、送信が可能と判断されてもよい。また、物理信号の送信に先立って実施されるキャリアセンスによって検出されるエネルギー量が所定のしきい値と等しい場合に、該物理チャネルの送信が行われてもよいし、行われなくてもよい。つまり、物理信号の送信に先立って実施されるキャリアセンスによって検出されるエネルギー量が所定のしきい値と等しい場合に、送信が不可と判断されてもよいし、送信が可能と判断されてもよい。
【０２４０】
キャリアセンスに基づき物理チャネルの送信可否が与えられる手順は、ＬＢＴ（Listen
Before Talk）とも呼称される。ＬＢＴの結果として物理信号の送信が不可と判断される状況は、ｂｕｓｙ状態、または、ｂｕｓｙとも呼称される。例えば、ｂｕｓｙ状態は、キャリアセンスによって検出されるエネルギー量が所定のしきい値よりも大きい状態であってもよい。また、ＬＢＴの結果として物理信号の送信が可能と判断される状況は、ｉｄｌｅ状態、または、ｉｄｌｅとも呼称される。例えば、ｉｄｌｅ状態は、キャリアセンスによって検出されるエネルギー量が所定のしきい値よりも小さい状態であってもよい。
【０２４１】
図１２は、本実施形態の一態様に係る物理信号の送信の一例を示す図である。図１２において、基地局装置３はＯＦＤＭシンボル＃０におけるＰＤＣＣＨの送信開始、ＯＦＤＭシンボル＃２におけるＰＤＳＣＨの送信開始を想定している（BS#3’s assumption）。一方で、ＰＤＣＣＨの送信に先立って実施されるＬＢＴ手順の結果、ＯＦＤＭシンボル＃０およびＯＦＤＭシンボル＃１はｂｕｓｙ状態であり、ＯＦＤＭシンボル＃２がｉｄｌｅ状態であったために、実際のＰＤＣＣＨの送信はＯＦＤＭシンボル＃３から開始されている（Actual transmission）。
【０２４２】
図１２に示されるように、物理信号の送信に先立ってＬＢＴ手順が実施される場合、該
物理信号の送信に関する想定と、該物理信号の実際の送信にずれが生じる場合がある。一方で、物理信号の送信に関する想定と、該物理信号の実際の送信にずれが生じたとしても、該物理信号の構成（該物理信号によって送信される情報ビット系列の内容、該情報ビット系列のサイズ、変調シンボルのマッピング等）は変更されないことが望ましい。ＬＢＴ手順によって、物理信号の構成を変更することは、該物理信号を送信する装置（端末装置１、または、基地局装置３）の負荷増大をもたらす可能性がある。
【０２４３】
図１３は、本実施形態の一態様に係る物理信号の送信の一例を示す図である。図１３において、基地局装置３はＯＦＤＭシンボル＃０におけるＰＤＣＣＨの送信開始、および、ＯＦＤＭシンボル＃２におけるＰＤＳＣＨの送信開始を想定している（BS#3’s assumption）。一方で、ＰＤＣＣＨの送信に先立って実施されるＬＢＴ手順の結果、ＯＦＤＭシンボル＃０はｂｕｓｙ状態であり、ＯＦＤＭシンボル＃１がｉｄｌｅ状態であったために、実際のＰＤＣＣＨの送信はＯＦＤＭシンボル＃２から開始されている（Actual transmission）。
【０２４４】
図１３において、ＰＤＣＣＨに含まれるＤＣＩフォーマットに含まれる時間領域リソース割り当てフィールドは、ＯＦＤＭシンボル＃２においてＰＤＳＣＨの送信が開始され、該ＰＤＳＣＨのＯＦＤＭシンボルの数（duration）が４ＯＦＤＭシンボルであることを少なくとも示してもよい。一方で、ＯＦＤＭシンボル＃２、および、ＯＦＤＭシンボル＃３は、ＰＤＣＣＨの送信に用いられるため、ＰＤＳＣＨの実際の送信はＯＦＤＭシンボル＃４から開始されてもよい。
【０２４５】
このように、物理信号の送信に先立ってキャリアセンスが行われるシステム、または、その他のシステムにおいて、ＰＤＣＣＨの送信を遅延することがサポートされてもよい。ＰＤＣＣＨの送信が遅延することは、ある監視機会において送信されることが意図されていたＰＤＣＣＨが異なる監視機会において送信されることを意味している。つまり、ＰＤＣＣＨの送信を遅延することがサポートされるようなシステムにおいて、ＨＡＲＱ−ＡＣＫ情報のコードブックの生成において該ＰＤＣＣＨの送信の遅延をサポートすることが好適である。
【０２４６】
例えば、第１の監視機会、および、第２の監視機会が設定されてもよい。第２の監視機会においてＰＤＣＣＨを検出し、該ＰＤＣＣＨが第１の監視機会において検出されたと想定してＨＡＲＱ−ＡＣＫ情報のコードブックを生成してもよい。
【０２４７】
ＰＤＣＣＨがある監視機会において検出されたと想定してＨＡＲＱ−ＡＣＫ情報のコードブックを生成することは、該ある監視機会に対応するＰＤＣＣＨの監視機会において該ＰＤＣＣＨが検出されたと想定してＨＡＲＱ−ＡＣＫ情報のコードブックを生成することであってもよい。ＰＤＣＣＨがある監視機会において検出されたと想定してＨＡＲＱ−ＡＣＫ情報のコードブックを生成することは、該ある監視機会に対応するＰＤＣＣＨの監視機会において、該ＰＤＣＣＨに含まれるＤＣＩフォーマットに含まれるカウンターＤＡＩ、および／または、トータルＤＡＩが用いられることであってもよい。
【０２４８】
図１４は、本実施形態の一態様に係る下りリンク通信の一例を示す図である。図１４において、プライマリセルとセカンダリセルのそれぞれに対して、スロットあたり探索領域セットの監視機会が２つ設定され、ＨＡＲＱ−ＡＣＫ情報のコードブックのためのＰＤＣＣＨの監視機会のセットは、４つのＰＤＣＣＨの監視機会を含んで構成される。図１４において、点線の枠で示されるブロックは、探索領域セットの監視機会であり、斜線で示されるブロックは、基地局装置３によって送信されるＰＤＣＣＨ（ＰＤＣＣＨ１１０、ＰＤＣＣＨ１２０、ＰＤＣＣＨ１３０、および、ＰＤＣＣＨ１４０）の一例である。図１４において、ＰＤＣＣＨのそれぞれは、カウンターＤＡＩ（Ｃ−ＤＡＩ）、および、トータル
ＤＡＩ（Ｔ−ＤＡＩ）のそれぞれを示している。
【０２４９】
図１４において、スロット＃ｎの先頭の探索領域セットの監視機会はＭＯ（Monitoring
occasion）２１であり、スロット＃ｎの２番目の探索領域セットの監視機会はＭＯ２２
である。また、ＰＤＣＣＨ１２０の送信はＭＯ２１で実施される予定であったが、ＬＢＴまたはその他の理由でＭＯ２１では送信せず、ＭＯ２２で送信することが想定されている。ＰＤＣＣＨ１２０の送信がずれているため、ＨＡＲＱ−ＡＣＫ情報のコードブック生成に問題が生じている。例えば、スロット＃ｎの２番目のＰＤＣＣＨの監視機会において、ＰＤＣＣＨ１３０およびＰＤＣＣＨ１２０が検出されているが、トータルＤＡＩの値がそれぞれ異なっている。トータルＤＡＩは、あるＰＤＣＣＨの監視機会までに送信されるＰＤＣＣＨの累積数を示すことができることから、これはエラーであるてもよい。
【０２５０】
そのため、ＭＯ２２で検出されたＰＤＣＣＨ１２０により示されるカウンターＤＡＩとトータルＤＡＩの値がＭＯ２１で検出されたと想定して、ＨＡＲＱ−ＡＣＫ情報のコードブックを生成することが好適である。
【０２５１】
例えば、第１の監視機会、および／または、第２の監視機会は、ＰＤＣＣＨの監視機会のセットに含まれてもよい。また、第１の監視機会がＰＤＣＣＨの監視機会のセットに含まれ、第２の監視機会がＰＤＣＣＨの監視機会のセットに含まれなくてもよい。
【０２５２】
例えば、第１の監視機会は、第２の監視機会の前に設定されてもよい。
【０２５３】
例えば、第２の監視機会は、条件（１）から条件（４）の一部または全部を少なくとも満たしてもよい。
条件（１）：該第２の監視機会に対応するＯＦＤＭシンボル、または、スロットにおいて初期信号が検出される
条件（２）：該第２の監視機会に対応するＯＦＤＭシンボル、または、スロットにおいて所定のＤＣＩフォーマットが受信される
条件（３）：該第２の監視機会が、ＰＤＣＣＨの監視機会のセットのうち、チャネル占有時間（COT: Channel Occupancy Time）の先頭より後の最初の監視機会である
条件（４）：該第２の監視機会が、ＰＤＣＣＨの監視機会のセットのうち、チャネル専有時間の先頭のスロットに含まれる監視機会である
【０２５４】
例えば、第３の監視機会においてＰＤＣＣＨを検出し、該ＰＤＣＣＨが第３の監視機会において検出されたことに基づきＨＡＲＱ−ＡＣＫ情報のコードブックを生成してもよい。例えば、第３の監視機会は、条件（１）から条件（４）の一部または全部を少なくとも満たさなくてもよい。
【０２５５】
例えば、所定の監視機会においてＰＤＣＣＨを検出し、該ＰＤＣＣＨが第１の監視機会において検出されたと想定してＨＡＲＱ−ＡＣＫ情報のコードブックを生成するか否かは、該所定の監視機会のタイプに少なくとも基づき与えられてもよい。例えば、該所定の監視機会が第２の監視機会である場合に、該ＰＤＣＣＨが第１の監視機会において検出されたと想定してＨＡＲＱ−ＡＣＫ情報のコードブックを生成してもよい。また、該所定の監視機会が第３の監視機会である場合に、該所定の監視機会において該ＰＤＣＣＨが検出されたことに基づきＨＡＲＱ−ＡＣＫ情報のコードブックを生成してもよい。
【０２５６】
例えば、所定の監視機会においてＰＤＣＣＨを検出し、該ＰＤＣＣＨが第１の監視機会において検出されたと想定してＨＡＲＱ−ＡＣＫ情報のコードブックを生成するか否かは、該所定の監視機会を設定する探索領域セットのタイプに少なくとも基づき与えられてもよい。
【０２５７】
ＰＤＣＣＨがある監視機会において検出されたことに基づきＨＡＲＱ−ＡＣＫ情報のコードブックを生成することは、該ある監視機会に対応するＰＤＣＣＨの監視機会において、該ＰＤＣＣＨに含まれるＤＣＩフォーマットに含まれるカウンターＤＡＩ、および／または、トータルＤＡＩが用いられることであってもよい。
【０２５８】
例えば、第２の監視機会においてＰＤＣＣＨを検出し、該ＰＤＣＣＨが第１の監視機会において検出されたと想定してＨＡＲＱ−ＡＣＫ情報のコードブックを生成するか否かは、該第２の監視機会がチャネル専有時間の先頭の領域に設定されるか否かに少なくとも基づき与えられてもよい。該チャネル専有時間の先頭の領域は、チャネル専有時間の先頭のスロットに対応してもよい。例えば、該第２の監視機会が該チャネル専有時間の先頭の領域に設定される場合、該ＰＤＣＣＨが第１の監視機会において検出されたと想定してＨＡＲＱ−ＡＣＫ情報のコードブックを生成してもよい。また、該第２の監視機会が該チャネル専有時間の先頭の領域以外に設定される場合、該ＰＤＣＣＨが該第２の監視機会において検出されたことに基づきＨＡＲＱ−ＡＣＫ情報のコードブックを生成してもよい。
【０２５９】
例えば、第２の監視機会においてＰＤＣＣＨを検出し、該ＰＤＣＣＨが第１の監視機会において検出されたと想定してＨＡＲＱ−ＡＣＫ情報のコードブックを生成するか否かは、サービングセルが設定される周波数バンドのタイプに少なくとも基づき与えられてもよい。例えば、該サービングセルが設定される周波数バンドが免許不要帯域である場合、該ＰＤＣＣＨが第１の監視機会において検出されたと想定してＨＡＲＱ−ＡＣＫ情報のコードブックを生成してもよい。また、該サービングセルが設定される周波数バンドが免許不要帯域とは異なる場合、該ＰＤＣＣＨが該第２の監視機会において検出されたことに基づきＨＡＲＱ−ＡＣＫ情報のコードブックを生成してもよい。ここで、該第２の監視機会は、該サービングセルに設定されてもよい。
【０２６０】
例えば、第２の監視機会においてＰＤＣＣＨを検出し、該ＰＤＣＣＨが第１の監視機会において検出されたと想定してＨＡＲＱ−ＡＣＫ情報のコードブックを生成するか否かは、サービングセルのタイプに少なくとも基づき与えられてもよい。例えば、該サービングセルが免許不要帯域に用いられるサービングセルである場合、該ＰＤＣＣＨが第１の監視機会において検出されたと想定してＨＡＲＱ−ＡＣＫ情報のコードブックを生成してもよい。また、該サービングセルがが免許不要帯域とは異なる帯域に用いられるサービングセルである場合、該ＰＤＣＣＨが該第２の監視機会において検出されたことに基づきＨＡＲＱ−ＡＣＫ情報のコードブックを生成してもよい。
【０２６１】
例えば、第２の監視機会においてＰＤＣＣＨを検出し、該ＰＤＣＣＨが第１の監視機会において検出されたと想定してＨＡＲＱ−ＡＣＫ情報のコードブックを生成するか否かは、該第２の監視機会が設定されるＯＦＤＭシンボルにおいて初期信号を検出するか否かに少なくとも基づき与えられてもよい。例えば、該第２の監視機会が設定されるＯＦＤＭシンボルにおいて初期信号が検出された場合、該ＰＤＣＣＨが第１の監視機会において検出されたと想定してＨＡＲＱ−ＡＣＫ情報のコードブックを生成してもよい。また、該第２の監視機会が設定されるＯＦＤＭシンボルにおいて初期信号が検出されない場合、該ＰＤＣＣＨが該第２の監視機会において検出されたことに基づきＨＡＲＱ−ＡＣＫ情報のコードブックを生成してもよい。
【０２６２】
例えば、第２の監視機会においてＰＤＣＣＨを検出し、該ＰＤＣＣＨが第１の監視機会において検出されたと想定してＨＡＲＱ−ＡＣＫ情報のコードブックを生成するか否かは
、該第２の監視機会が設定されるスロットにおいて初期信号を検出するか否かに少なくとも基づき与えられてもよい。例えば、該第２の監視機会が設定されるスロットにおいて初期信号が検出された場合、該ＰＤＣＣＨが第１の監視機会において検出されたと想定してＨＡＲＱ−ＡＣＫ情報のコードブックを生成してもよい。また、該第２の監視機会が設定されるスロットにおいて初期信号が検出されない場合、該ＰＤＣＣＨが該第２の監視機会において検出されたことに基づきＨＡＲＱ−ＡＣＫ情報のコードブックを生成してもよい。
【０２６３】
例えば、第２の監視機会においてＰＤＣＣＨを検出し、該ＰＤＣＣＨが第１の監視機会において検出されたと想定してＨＡＲＱ−ＡＣＫ情報のコードブックを生成するか否かは、該第２の監視機会が設定されるＯＦＤＭシンボルにおいて所定のＤＣＩフォーマットを検出するか否かに少なくとも基づき与えられてもよい。例えば、該第２の監視機会が設定される所定のＤＣＩフォーマットにおいて初期信号が検出された場合、該ＰＤＣＣＨが第１の監視機会において検出されたと想定してＨＡＲＱ−ＡＣＫ情報のコードブックを生成してもよい。また、該第２の監視機会が設定される所定のＤＣＩフォーマットにおいて初期信号が検出されない場合、該ＰＤＣＣＨが該第２の監視機会において検出されたことに基づきＨＡＲＱ−ＡＣＫ情報のコードブックを生成してもよい。
【０２６４】
例えば、第２の監視機会においてＰＤＣＣＨを検出し、該ＰＤＣＣＨが第１の監視機会において検出されたと想定してＨＡＲＱ−ＡＣＫ情報のコードブックを生成するか否かは、該第２の監視機会が設定されるスロットにおいて所定のＤＣＩフォーマットを検出するか否かに少なくとも基づき与えられてもよい。例えば、該第２の監視機会が設定されるスロットにおいて所定のＤＣＩフォーマットが検出された場合、該ＰＤＣＣＨが第１の監視機会において検出されたと想定してＨＡＲＱ−ＡＣＫ情報のコードブックを生成してもよい。また、該第２の監視機会が設定されるスロットにおいて所定のＤＣＩフォーマットが検出されない場合、該ＰＤＣＣＨが該第２の監視機会において検出されたことに基づきＨＡＲＱ−ＡＣＫ情報のコードブックを生成してもよい。
【０２６５】
例えば、初期信号は、物理シグナルであってもよい。また、初期信号は、ＰＤＣＣＨに関連するＤＭＲＳであってもよい。また、初期信号は、所定のＤＣＩフォーマットを含むＰＤＣＣＨに関連するＤＭＲＳであってもよい。例えば、該所定のＤＣＩフォーマットは、ＤＣＩフォーマット２＿０であってもよい。例えば、初期信号は、同期信号であってもよい。また、初期信号は、ＣＳＩ−ＲＳであってもよい。
【０２６６】
例えば、初期信号が検出されるか否かに少なくとも基づき、モニタされる監視機会が与えられてもよい。例えば、初期信号が検出されるより前において、第２の監視機会が少なくともモニタされてもよい。初期信号が検出される後において、第１の監視機会が少なくともモニタされてもよい。
【０２６７】
例えば、第１の監視機会は、第１の探索領域セットによって設定されてもよい。また、第１の探索領域セットは、ＣＳＳであってもよい。また、第１の探索領域セットは、タイプ３ＰＤＣＣＨ共通探索領域であってもよい。また、第１の探索領域セットにより設定される探索領域セットの監視機会は、ＰＤＣＣＨの監視機会の設定のために用いられ、ＰＤＣＣＨのモニタに用いられなくてもよい。また、第１の探索領域セットは、ＣＯＴ内においてモニタされる探索領域セットであってもよい。つまり、第１の探索領域セットにより設定される探索領域セットの監視機会においてＰＤＣＣＨがモニタされるか否かは、該探索領域セットの監視機会がＣＯＴ内であることが示されるか否かに少なくとも基づき与えられてもよい。また、第１の探索領域セットは、ＤＣＩフォーマット２＿０により下りリンクであると示される領域においてモニタされる探索領域セットであってもよい。つまり、第１の探索領域セットにより設定される探索領域セットの監視機会においてＰＤＣＣＨ
がモニタされるか否かは、該探索領域セットの監視機会のＯＦＤＭシンボルがＤＣＩフォーマット２＿０により下りリンクであることが示されるか否かに少なくとも基づき与えられてもよい。
【０２６８】
例えば、第２の監視機会は、第２の探索領域セットによって設定されてもよい。また、第２の探索領域セットは、ＵＳＳであってもよい。また、第２の探索領域セットにより設定される探索領域セットの監視機会は、ＰＤＣＣＨの監視機会の設定のために用いられず、ＰＤＣＣＨのモニタに用いられてもよい。また、第２の探索領域セットは、ＣＯＴ内であることが示されない領域においてモニタされる探索領域セットであってもよい。つまり、第２の探索領域セットにより設定される探索領域セットの監視機会においてＰＤＣＣＨがモニタされるか否かは、該探索領域セットの監視機会がＣＯＴ内であることが示されるか否かに少なくとも基づき与えられてもよい。また、第２の探索領域セットは、ＤＣＩフォーマット２＿０によりスロットフォーマットが示されない領域においてモニタされる探索領域セットであってもよい。つまり、第２の探索領域セットにより設定される探索領域セットの監視機会においてＰＤＣＣＨがモニタされるか否かは、該探索領域セットの監視機会のＯＦＤＭシンボルがＤＣＩフォーマット２＿０によりスロットフォーマットが示されるか否かに少なくとも基づき与えられてもよい。  
【０２６９】
例えば、第１の監視機会および第２の監視機会は、第１の探索領域セットによって設定されてもよい。また、第１の監視機会の設定に用いられる第１のパラメータセットは、第１の探索領域セットの監視間隔、第１の探索領域セットの監視オフセット、および、第１の探索領域セットの監視パターンの一部または全部を少なくとも含んでもよい。また、第２の監視機会の設定に用いられる第２のパラメータセットは、第２の探索領域セットの監視間隔、第２の探索領域セットの監視オフセット、および、第２の探索領域セットの監視パターンの一部または全部を少なくとも含んでもよい。
【０２７０】
例えば、第１の監視機会および第２の監視機会は、第１の探索領域セットによって設定されてもよい。また、第１の監視機会は、第１の探索領域セットによって設定される探索領域セットの監視機会のうち、所定の監視機会であってもよい。また、該所定の監視機会は、スロットの先頭の監視機会であってもよい。また、第２の監視機会は、第１の探索領域セットによって設定される探索領域セットの監視機会のうち、該所定の監視機会以外の探索領域セットの監視機会の一部または全部を少なくとも含んでもよい。
【０２７１】
第１の監視機会において検出されるＰＤＣＣＨにより示されるカウンターＤＡＩ、および／または、トータルＤＡＩは、ＨＡＲＱ−ＡＣＫ情報のコードブックの生成に少なくとも用いられ、第２の監視機会において検出されるＰＤＣＣＨにより示されるカウンターＤＡＩ、および／または、トータルＤＡＩは、該ＨＡＲＱ−ＡＣＫ情報のコードブックの生成に用いられなくてもよい。つまり、第２の監視機会において検出されるＰＤＣＣＨにより示されるカウンターＤＡＩ、および／または、トータルＤＡＩに関わらずＨＡＲＱ−ＡＣＫ情報のコードブックが生成されてもよい。
【０２７２】
例えば、ＰＤＣＣＨにより示されるカウンターＤＡＩ、および／または、トータルＤＡＩがＨＡＲＱ−ＡＣＫ情報のコードブックの生成に用いられるか否かは、該ＰＤＣＣＨが検出される探索領域セットの監視機会に少なくとも基づき与えられてもよい。
【０２７３】
例えば、第２の監視機会において検出されるＰＤＣＣＨに対するＨＡＲＱ−ＡＣＫ情報は、ＨＡＲＱ−ＡＣＫ情報のコードブックの末尾にセットされてもよい。また、第２の監視機会において検出されるＰＤＣＣＨに対するＨＡＲＱ−ＡＣＫ情報は、ＨＡＲＱ−ＡＣＫ情報のコードブックの後であり、ＳＰＳ  ＰＤＳＣＨに対するＨＡＲＱ−ＡＣＫ情報の前にセットされてもよい。また、第２の監視機会において検出されるＰＤＣＣＨに対する
ＨＡＲＱ−ＡＣＫ情報は、ＨＡＲＱ−ＡＣＫ情報のコードブックの前にセットされてもよい。
【０２７４】
第２の監視機会において検出されるＰＤＣＣＨに含まれるＤＣＩフォーマットに含まれるカウンターＤＡＩの値は、ＨＡＲＱ−ＡＣＫ情報のコードブックの生成に用いられ、該ＤＣＩフォーマットに含まれるトータルＤＡＩの値は、該ＨＡＲＱ−ＡＣＫ情報のコードブックの生成のために用いられなくてもよい。
【０２７５】
例えば、第２の監視機会においてＰＤＣＣＨが検出される場合、該ＰＤＣＣＨに少なくとも基づきスケジューリングされるＰＤＳＣＨの受信を行わなくてもよい。該ＰＤＳＣＨの受信が行われない場合に、該ＰＤＣＣＨに含まれるＤＣＩフォーマットに含まれるカウンターＤＡＩ、および／または、トータルＤＡＩはＨＡＲＱ−ＡＣＫ情報のコードブックの生成に用いられてもよい。
【０２７６】
以下、本実施形態の一態様に係る種々の装置の態様を説明する。
【０２７７】
（１）上記の目的を達成するために、本発明の態様は、以下のような手段を講じた。すなわち、本発明の第１の態様は、端末装置であって、ＰＤＣＣＨのための第１の監視機会、および、第２の監視機会が設定され、少なくとも第２の監視機会においてＰＤＣＣＨを受信する受信部と、前記ＰＤＣＣＨが前記第１の監視機会において検出されたと想定して前記ＰＤＣＣＨに含まれるＤＡＩフィールドの値に基づきＨＡＲＱ−ＡＣＫコードブックを生成し、前記ＨＡＲＱ−ＡＣＫコードブックをＰＵＣＣＨまたはＰＵＳＣＨで送信する送信部と、を備える。
【０２７８】
（２）また、本発明の第１の態様において、前記ＰＵＣＣＨに対応する監視機会のセット（アソシエーションセット）は、Ｋ０およびＫ１に少なくとも基づき与えられ、前記Ｋ０は、前記ＰＤＣＣＨに基づきスケジューリングされるＰＤＳＣＨが送信されるスロットのインデックスを示すために用いられ、前記Ｋ１は、前記ＰＵＣＣＨが送信されるスロットのインデックスを示すために用いられ、前記第１の監視機会、および、前記第２の監視機会は前記監視機会のセットに含まれる。
【０２７９】
（３）また、本発明の第１の態様において、前記第１の監視機会は、前記第２の監視機会より前に設定され、前記第２の監視機会は、条件（１）から条件（３）のいずれかを少なくとも満たし、条件（１）は、前記第２の監視機会に対応するＯＦＤＭシンボルにおいて初期信号が検出されることであり、条件（２）は、前記第２の監視機会において、所定のＤＣＩフォーマットを受信することであり、条件（３）は、前記第２の監視機会は、前記監視機会のセット（アソシエーションセット）のうち、チャネル専有時間（COT: Channel Occupancy Time）の先頭より後の最初の監視機会である。
【０２８０】
（４）また、本発明の第１の態様において、前記第１の監視機会は、第１の探索領域セットによって設定され、前記第２の監視機会は、第２の探索領域セットによって設定される。
【０２８１】
（５）また、本発明の第１の態様において、前記第１の監視機会は、探索領域セットに設定される第１のパラメータに少なくとも基づき設定され、前記第２の監視機会は、前記探索領域セットに設定される第２のパラメータに少なくとも基づき設定される。
【０２８２】
（６）また、本発明の第１の態様において、前記第１の監視機会は、探索領域セットにより設定される監視機会のうち、スロットの先頭に設定される監視機会であり、前記第２の監視機会は、前記探索領域セットに設定される監視機会の内、前記第１の監視機会以外
の監視機会を含む。
【０２８３】
（７）また、本発明の第２の態様は、端末装置であって、第１の監視機会において第１のＰＤＣＣＨを受信し、第２の監視機会において第２のＰＤＣＣＨを受信する受信部と、前記第１のＰＤＣＣＨおよび前記第２のＰＤＣＣＨのそれぞれに対するＨＡＲＱ−ＡＣＫ情報を含むＨＡＲＱ−ＡＣＫコードブックをＰＵＣＣＨで送信する送信部と、を備え、前記ＨＡＲＱ−ＡＣＫコードブックは、前記第１のＰＤＣＣＨに含まれるＤＡＩの値に少なくとも基づき与えられ、前記ＨＡＲＱ−ＡＣＫコードブックは、前記第２のＰＤＣＣＨに含まれるＤＡＩの値に関わらず与えられる。
【０２８４】
（８）また、本発明の第２の態様において、前記ＨＡＲＱ−ＡＣＫコードブックは、前記第２のＰＤＣＣＨにおいてＤＡＩの値が示されないと想定して与えられる。
【０２８５】
（９）また、本発明の第２の態様において、前記第２のＰＤＣＣＨに対するＨＡＲＱ−ＡＣＫ情報は、前記ＨＡＲＱ−ＡＣＫコードブックの末尾に結合される。
【０２８６】
（１０）また、本発明の第３の態様は、基地局装置であって、ＰＤＣＣＨのための第１の監視機会、および、第２の監視機会を設定する情報を送信し、少なくとも第２の監視機会においてＰＤＣＣＨを送信する送信部と、前記ＰＤＣＣＨが前記第１の監視機会において検出されたと想定して前記ＰＤＣＣＨに含まれるＤＡＩフィールドの値に基づき生成されたＨＡＲＱ−ＡＣＫコードブックを含むＰＵＣＣＨまたはＰＵＳＣＨを受信する受信部と、を備える。
【０２８７】
（１１）また、本発明の第３の態様において、前記ＰＵＣＣＨに対応する監視機会のセット（アソシエーションセット）は、Ｋ０およびＫ１に少なくとも基づき与えられ、前記Ｋ０は、前記ＰＤＣＣＨに基づきスケジューリングされるＰＤＳＣＨが送信されるスロットのインデックスを示すために用いられ、前記Ｋ１は、前記ＰＵＣＣＨが送信されるスロットのインデックスを示すために用いられ、前記第１の監視機会、および、前記第２の監視機会は前記監視機会のセットに含まれる。
【０２８８】
（１２）また、本発明の第３の態様において、前記第１の監視機会は、前記第２の監視機会より前に設定され、前記第２の監視機会は、条件（１）から条件（３）のいずれかを少なくとも満たし、条件（１）は、前記第２の監視機会に対応するＯＦＤＭシンボルにおいて初期信号が検出されることであり、条件（２）は、前記第２の監視機会において、所定のＤＣＩフォーマットを受信することであり、条件（３）は、前記第２の監視機会は、前記監視機会のセット（アソシエーションセット）のうち、チャネル専有時間（COT: Channel Occupancy Time）の先頭より後の最初の監視機会である。
【０２８９】
（１３）また、本発明の第３の態様において、前記第１の監視機会は、第１の探索領域セットによって設定され、前記第２の監視機会は、第２の探索領域セットによって設定される。
【０２９０】
（１４）また、本発明の第３の態様において、前記第１の監視機会は、探索領域セットに設定される第１のパラメータに少なくとも基づき設定され、前記第２の監視機会は、前記探索領域セットに設定される第２のパラメータに少なくとも基づき設定される。
【０２９１】
（１５）また、本発明の第３の態様において、前記第１の監視機会は、探索領域セットにより設定される監視機会のうち、スロットの先頭に設定される監視機会であり、前記第２の監視機会は、前記探索領域セットに設定される監視機会の内、前記第１の監視機会以外の監視機会を含む。
【０２９２】
（１６）また、本発明の第４の態様は、基地局装置であって、第１の監視機会において第１のＰＤＣＣＨを送信し、第２の監視機会において第２のＰＤＣＣＨを送信する送信部と、前記第１のＰＤＣＣＨおよび前記第２のＰＤＣＣＨのそれぞれに対するＨＡＲＱ−ＡＣＫ情報を含むＨＡＲＱ−ＡＣＫコードブックを含むＰＵＣＣＨを受信する受信部と、を備え、前記ＨＡＲＱ−ＡＣＫコードブックは、前記第１のＰＤＣＣＨに含まれるＤＡＩの値に少なくとも基づき与えられ、前記ＨＡＲＱ−ＡＣＫコードブックは、前記第２のＰＤＣＣＨに含まれるＤＡＩの値に関わらず与えられる。
【０２９３】
（１７）また、本発明の第４の態様において、前記ＨＡＲＱ−ＡＣＫコードブックは、前記第２のＰＤＣＣＨにおいてＤＡＩの値が示されないと想定して与えられる。
【０２９４】
（１８）また、本発明の第４の態様において、前記第２のＰＤＣＣＨに対するＨＡＲＱ−ＡＣＫ情報は、前記ＨＡＲＱ−ＡＣＫコードブックの末尾に結合される。
【０２９５】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０２９６】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２９７】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２９８】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２９９】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０３００】
また、上述した実施形態における基地局装置３は、ＥＵＴＲＡＮ（Evolved Universal 
Terrestrial Radio Access Network）および／またはＮＧ−ＲＡＮ（NextGen RAN，NR RAN）であってもよい。また、上述した実施形態における基地局装置３は、ｅＮｏｄｅＢお
よび／またはｇＮＢに対する上位ノードの機能の一部または全部を有してもよい。
【０３０１】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０３０２】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０３０３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０３０４】
１（１Ａ、１Ｂ、１Ｃ）  端末装置
３  基地局装置
１０、３０  無線送受信部
１１、３１  アンテナ部
１２、３２  ＲＦ部
１３、３３  ベースバンド部
１４、３４  上位層処理部
１５、３５  媒体アクセス制御層処理部
１６、３６  無線リソース制御層処理部
２１、２２  ＭＯ
９１、９２、９３、９４  探索領域セット
１１０、１２０、１３０、１４０  ＰＤＣＣＨ
【図１】
2020072330.tif 000003
【図２】
2020072330.tif 000004
【図３】
2020072330.tif 000005
【図４】
2020072330.tif 000006
【図５】
2020072330.tif 000007
【図６】
2020072330.tif 000008
【図７】
2020072330.tif 000009
【図８】
2020072330.tif 000010
【図９】
2020072330.tif 000011
【図１０】
2020072330.tif 000012
【図１１】
2020072330.tif 000013
【図１２】
2020072330.tif 000014
【図１３】
2020072330.tif 000015
【図１４】
2020072330.tif 000016